(57)【特許請求の範囲】
【請求項１】
文字と画像とを配したページを表し、他のページへのリンクを示すリンク情報と、文字情報と、画像情報とを含むページ情報を複数取得する取得手段と、取得された複数のページ情報から、受信装置においてユーザ選択に応じて放送波から分離される単位である複数の送信データファイルを生成し、各送信データファイルは、一または複数のページ情報を含み、各送信データファイルに相互を識別するための識別子を付し、生成された一の送信データファイルに含まれるページ情報で表されるページからの他のページへのリンクが他の送信データファイルに含まれるページ情報で表されるページへのリンクとなる場合においては、当該一の送信データファイル内に当該リンク先の送信データファイルの識別子を含むリンク情報を含ませるように、送信データファイルの当該生成を行う生成手段と、生成された複数の送信データファイルを繰り返し送信する送信手段とを備える送信装置。
【請求項２】
前記取得手段は、インターネット上のワールドワイドウェブから前記ページ情報を取得する請求項１記載の送信装置。
【請求項３】
前記生成手段は、取得されたリンク情報中の文字情報と画像情報とに従って、文字と画像とを配した送信データファイルを作成する第１作成手段と、
取得されたページ情報中のリンク情報を解釈して、送信データファイル内に他の送信データファイルへのリンクを示すリンク情報を作成する第２作成手段と、
第１、第２作成手段に作成された送信データファイルを所定数記憶する記憶手段とを備えた請求項１又は２記載の送信装置。
【請求項４】
文字と画像とを配したページを表し、他のページへのリンクを示すリンク情報と、文字情報と、画像情報とを含むページ情報を複数取得する取得手段と、
取得されたリンク情報中の文字情報と画像情報とに従って、文字と画像とを配してなり、識別子が付されており、ユーザ選択に応じて放送波から分離される単位であり、一または複数のページ情報を含む送信データファイルを作成する第１作成手段と、
取得されたページ情報中のリンク情報を解釈して、生成された一の送信データファイルに含まれるページ情報で表されるページからの他のページへのリンクが他の送信データファイルに含まれるページ情報で表されるページへのリンクとなる場合においては、当該一の送信データファイル内に当該リンク先の送信データファイルの識別子を含むリンク情報を作成する第２作成手段と、
第１、第２作成手段に作成された送信データファイルを所定数記憶する記憶手段と、
所定数の送信データファイルを繰り返し送信する送信手段とを備えた送信装置。
【請求項５】
前記取得手段は、インターネット上のワールドワイドウェブから前記ページ情報を取得する請求項４記載の送信装置。
【請求項６】
前記送信手段は、記憶手段から、送信データファイルの全てを繰り返し読み出す読み出し手段と、
読み出し手段に読み出される送信データファイルをディジタルデータストリームに変換し、それらを多重化した多重化ストリームを生成する多重化手段と、
多重化ストリームをディジタル放送波として送出する送出手段とを備えた請求項４又は５記載の送信装置。
【請求項７】
画像を記憶する画像記憶手段と、前記画像記憶手段から画像を取り出す画像取り出し手段と、第１作成手段により作成された送信データファイルに、取り出された画像を付加する画像付加手段とを備え、
前記送信手段は、画像が付加された送信データファイルを送信する請求項４記載の送信装置。
【請求項８】
識別子が付されておりユーザの選択に応じて分離される単位となり、一または複数のページ情報を含む送信データファイルであって、一の送信データファイル内に当該一の送信データファイルに含まれるページ情報で表されるページから他の送信データファイルに含まれるページ情報で表されるページへのリンクを示しており当該他の送信データファイルの識別子を含むリンク情報を含む複数の送信データファイルが繰り返し送信されてなる放送波を受信する受信装置であって、
前記放送波から一の前記送信データファイルを分離する分離手段と、
分離された送信データファイルを保持する保持手段と、
保持された送信データファイルを再生して映像信号を出力する再生手段と、
ユーザがページの切り替えを選択した場合に、再生出力されている送信データファイルにおけるリンク情報に含まれる送信データファイルの識別子を読み出し、送信データファイルの当該識別子に基づき、切り替え先のページを表すページ情報を含む送信データファイルを分離するよう分離手段を制御する制御手段とを備えた受信装置。
【請求項９】
前記送信データファイルには識別子が付与され、前記リンク情報は、リンク先の送信データファイルの識別子で表され、
前記分離手段は、前記放送波中の送信データファイルに付与されている識別子を判別する判別手段と、
判別手段の判別結果が特定の識別子である場合に、当該送信データファイルを取り込む取り込み手段と、
前記保持手段は、取り込み手段により取り込まれた送信データファイルを保持する請求項８記載の受信装置。
【請求項１０】
文字と画像とを配したページを表し、他のページへのリンクを示すリンク情報と、文字情報と、画像情報とを含むページ情報を複数取得する取得ステップと、
取得された複数のページ情報から、受信装置においてユーザ選択に応じて放送波から分離される単位である複数の送信データファイルを生成し、各送信データファイルは、一または複数のページ情報を含み、各送信データファイルに相互を識別するための識別子を付し、生成された一の送信データファイルに含まれるページ情報で表されるページからの他のページへのリンクが他の送信データファイルに含まれるページ情報で表されるページへのリンクとなる場合においては、当該一の送信データファイル内に当該リンク先の送信データファイルの識別子を含むリンク情報を含ませるように、送信データファイルの当該生成を行う生成ステップと、
生成された複数の送信データファイルを繰り返し送信する送信ステップとを含む送信方法。
【請求項１１】
識別子が付されておりユーザの選択に応じて分離される単位となり、一または複数のページ情報を含む送信データファイルであって、一の送信データファイル内に当該一の送信データファイルに含まれるページ情報で表されるページから他の送信データファイルに含まれるページ情報で表されるページへのリンクを示しており当該他の送信データファイルの識別子を含むリンク情報を含む複数の送信データファイルが繰り返し送信されてなる放送波を受信する受信方法であって、
前記放送波から一の前記送信データファイルを分離する分離ステップと、
分離された送信データファイルをメモリに格納する格納ステップと、
保持された送信データファイルを再生して映像信号を出力する再生ステップとを含み、
前記分離ステップは、ユーザがページの切り替えを選択した場合に、再生出力されている送信データファイルにおけるリンク情報に含まれる送信データファイルの識別子を読み出し、送信データファイルの当該識別子に基づき、切り替え先のページを表すページ情報を含む送信データファイルを分離するものである受信方法。
【請求項１２】
放送波を用いて対話性を実現する通信システムにおける送信装置における送信プログラムを記録した記録媒体であって、
前記送信プログラムは請求項１０記載の送信方法を送信装置内のコンピュータに実行させるプログラムであることを特徴とするプログラム記録媒体。
【請求項１３】
放送波を用いて対話性を実現する通信システムにおける受信装置における受信プログラムを記録した記録媒体であって、
前記受信プログラムは請求項１１記載の受信方法を受信装置内のコンピュータに実行させるプログラムであることを特徴とするプログラム記録媒体。
【請求項１４】
請求項１記載の送信装置と請求項８記載の受信装置とを備える放送システムまたは請求項４記載の送信装置と請求項８記載の受信装置とを備える放送システム。
【発明の詳細な説明】
【０００１】
【発明の属する技術分野】
本発明は、テレビジョン（以下、ＴＶと表記する。）放送などの１方向通信を用いて、送信側があたかも各受信側からの送信要求に応答して放送番組を送信してくるかの如き擬似的な双方向通信処理を行うデータ送信装置、データ受信装置、データ受信方法、その受信プログラムを記録した媒体およびデータ通信システムに関する。
【０００２】
【従来の技術】
今日では、電話回線などで接続されるネットワークを介して、世界各地のサーバが提供する様々な情報を、自宅のパーソナルコンピュータ（以下、パソコンという。）に受信し表示させることができる。その代表的なものとして、インターネットのワールドワイドウェブ（ＷＷＷ）が知られている。ＷＷＷのサーバは、１ページの表示画像をパソコンに表示させるためのデータとして、画像情報と、その画像情報を文字情報中にあてはめて表示するための制御情報とをパソコンに送信する。また、そのページが文字情報だけからなる場合には、文字情報を表示するための制御情報のみを送信する。制御情報は、ＨＴＭＬ（Ｈｙｐｅｒ  Ｔｅｘｔ  Ｍａｒｋｕｐ  Ｌａｎｇｕａｇｅ）という言語で記述されており、パソコン内のブラウザは、そのＨＴＭＬを解釈し実行することにより、ＷＷＷのホームページの各ページを表示する。表示されたページの図形や文字列には、その図形や文字列に関連した情報を記載している他のページが関連付けられており、操作者がその表示部分をマウスなどで選択操作することにより、ブラウザはそのページを提供しているＷＷＷサーバにアクセスし、そのページを表示するための情報を取得する。次いで、取得した情報を解釈、実行しそのページを表示する。
【０００３】
上記のような対話画面を生成するための制御情報を、ＴＶ放送用地上波を用い、放送番組に多重化して送信する技術が特開平７−３２２２２６号に開示されている。この技術では、番組送信装置は、ＨＴＭＬに類似した言語で記述されている、対話画面の構成を指示するデータを、放送番組に多重化して放送される。これを受信した番組受信装置は、この対話画面の構成指示を解釈し、その指示に従って、内部に保持している基本表示要素を組み合わせ、対話画面を構成し、放送番組の画面に重ねて表示する。
【０００４】
【発明が解決しようとする課題】
しかしながら、上記のような言語で記述された制御情報は、表示のための様々な制御内容を記述しているので、上記制御情報に従って表示を行うためには、受信装置は、これを一つ一つ解釈し、実行しなければならない。また、受信装置において、ＷＷＷサーバが提供しているような前記画像情報を表示しようとすると、高解像度で高度な技術により圧縮された画像を特定のフォーマットに従って伸長し、上記制御情報に従って表示するという処理を行わなければならない。このような高度な処理を必要とする結果、受信装置の負荷が大きくなり、受信装置のコストが上昇するという問題がある。
【０００５】
また、上記番組受信装置では、構成された対話画面を用いて放送番組の内容を対話的に変更することはできない。
本発明は、上記問題点に鑑みて、ＴＶ放送などの１方向通信システムにおいて、データ受信装置の負荷の増加を抑制しつつ、データ送信装置とデータ受信装置との間の擬似的な対話性を実現できる送信装置、受信装置、受信方法、受信プログラムの記録媒体、通信システムを提供することを目的とする。
【０００６】
【課題を解決するための手段】
上記の課題を解決するために、放送波を用いて対話性を実現する通信システムにおける送信装置であって、１フレームに相当する画像データを複数記憶する第１記憶手段と、第１記憶手段の画像データ毎に他の画像データへのリンクを示す制御情報を記憶する第２記憶手段と、所定数の画像データを制御情報とともに繰り返し送信する送信手段とを備えている。
【０００７】
また、前記送信手段は、所定数の画像データとそれに対応する制御情報とを、第１、第２記憶手段から繰り返し読み出す読み出し手段と、読み出し手段に読み出された画像データ、制御情報を、それぞれテレビジョン信号の映像区間、帰線区間に載せることにより画像データと制御信号とを多重化する多重化手段と、多重化されたテレビジョン信号をアナログ放送波として送出する送出手段とを備えて構成してもよい。
【０００８】
また、前記第１、第２記憶手段の画像データ、制御情報はディジタル化されており、前記送信手段は、所定数の画像データとそれに対応する制御情報とを、第１、第２記憶手段から繰り返し読み出す読み出し手段と、読み出し手段に読み出される画像データ及び制御情報をそれぞれディジタルデータストリームに変換し、それらを多重化した多重化ストリームを生成する多重化手段と、多重化ストリームをディジタル放送波として送出する送出手段とを備えて構成してもよい。
【０００９】
【発明の実施の形態】
（第１の実施の形態）
図１は、本発明の第１の実施の形態であるデータ通信システム１００の構成を示すブロック図である。
データ通信システム１００は、データ送信装置１１０と複数のデータ受信装置１５０とを備える。
【００１０】
データ送信装置１１０は、情報取得部１１１、送信データ生成部１１２、送信データ保持部１１３、送信データ読出部１１４、多重化部１１５および送信部１１６を備える。
データ受信装置１５０は、受信分離部１５１、受信データ保持部１５２、再生部１５３、表示部１５４、制御部１５５および信号受信部１５６を備える。
（データ送信装置１１０の構成の説明）
以下、データ送信装置１１０の各構成について説明する。
（情報取得部１１１の構成の説明）
情報取得部１１１は、取得リスト記憶部１２１と、ＷＷＷサーバなどの外部データベースから取得した情報を保持する図示しないバッファとを備える。
【００１１】
取得リスト記憶部１２１には、取得順を示す取得順番号に対応づけて、情報取得部１１１が取得すべき情報の取得先と、取得すべき情報のファイル名とを示す取得リストが予め格納されている。
図２は、取得リスト記憶部１２１に格納されている取得リスト２００の一例を示す説明図である。なお、ファイル名の拡張子『．ｈｔｍｌ』は、そのファイル内にＨＴＭＬ文書が格納されていることを表し、拡張子『．ｇｉｆ』は、そのファイルに、ＧＩＦ形式で圧縮された画像情報が格納されていることを表している。また、拡張子『．ａｕ』は、そのファイル内にＡＵ形式の音声情報が格納されていることを表している。
【００１２】
取得リスト記憶部１２１には、例えば、情報取得部１１１がインターネットに接続されており、ＷＷＷサーバから情報を取得するよう設定されている場合には、図２に示すような取得リスト２００が格納されている。取得リスト２００には、取得順番号２０１に対応づけて、取得先名２０２として、ディレクトリ部までを含んだそのＷＷＷサーバのＵＲＬが格納されている。また、各ＷＷＷサーバが提供するホームページは、各ページが、１つのＨＴＭＬ文書と、そのＨＴＭＬ文書にファイル名が指定された画像情報ファイルおよび音声情報ファイルとで表されるので、取得リスト２００には、取得すべきファイル名２０３として、当該ページを記述したＨＴＭＬ文書のファイル名と画像情報のファイル名と音声情報ファイル名とが、ページ単位に格納されている。
【００１３】
なお、上記取得リスト記憶部１２１において、前記取得先と前記ファイル名とは、必ずしも別々に記述される必要はなく、１つのＵＲＬで表されていてもよい。また、情報取得部１１１の取得先がＷＷＷサーバでない場合には、取得先は当該外部データベースの装置アドレスで、取得すべきファイルはファイルアドレスで表される。
【００１４】
情報取得部１１１は、取得リスト記憶部１２１から、取得先のＵＲＬと取得すべき情報のファイル名とを取得順番号２０１の順に読み出して、そのＵＲＬで示されるＷＷＷサーバにアクセスし、当該ファイル名のファイルを取得する。情報取得部１１１は、取得したファイルにファイル名を付し、前記バッファに格納する。
（取得ファイルの例示説明）
以下、情報取得部１１１が取得するファイルの内容について、図３、図４、図５および図６を用いて具体的に説明する。
【００１５】
図３は、ＷＷＷホームページの第１ページの一例を記述するＨＴＭＬ文書３０１『Ｒｅｐｏｒｔ．ｈｔｍｌ』を示す説明図である。なお、ＨＴＭＬ文書３０１『Ｒｅｐｏｒｔ．ｈｔｍｌ』という表記は、ファイル名が『Ｒｅｐｏｒｔ．ｈｔｍｌ』というファイルに格納されているＨＴＭＬ文書３０１を示すものとする。また、各ＨＴＭＬ文書において、〈（文字列）〉で表される制御コードは、タグと呼ばれ、原則として、〈（文字列）〉と〈／（文字列）〉との組で用いられる。〈〉内の文字列は、そのタグの制御内容を表している。
【００１６】
行３１１の〈ＨＴＭＬ〉と、行３２３の〈／ＨＴＭＬ〉とは、〈ＨＴＭＬ〉と〈／ＨＴＭＬ〉との間に挟まれている文字列が、１つのＨＴＭＬ文書３０１であることを示している。
行３１２の〈Ｈ１〉と〈／Ｈ１〉とは、これらの間の文字列『天気予報』が、この文書の見出しであることを示している。
【００１７】
行３１３の〈ＣＥＮＴＥＲ〉と、行３１５の〈／ＣＥＮＴＥＲ〉とは、これらの間に挟まれた文字列によって表現される文書の表示要素を、中よせで表示することを示している。
行３１４の〈ＩＭＧ  ＳＲＣ＝”Ｗｅａｔｈｅｒ．ｇｉｆ”〉は、後述の図４に示す画像情報４０１『Ｗｅａｔｈｅｒ．ｇｉｆ』が、この位置に文書の表示要素として含まれていることを表す。なお、タグ〈ＩＭＧ〉の属性である『ＳＲＣ＝』は、画像情報ファイルの指定を示し、その属性値である『”Ｗｅａｔｈｅｒ．ｇｉｆ”』は、指定されたファイルのファイル名を示している。
【００１８】
図４は、ＷＷＷホームページの第１ページに表示される画像の一例である画像情報４０１『Ｗｅａｔｈｅｒ．ｇｉｆ』を示す説明図である。
図４に示すように、画像情報ファイル『Ｗｅａｔｈｅｒ．ｇｉｆ』に格納されている画像情報４０１は、日本の各地の天気を示す概略日本地図の画像を表している。
【００１９】
ＨＴＭＬ文書３０１の行３１６と、行３１７とは、〈Ｐ〉と〈／Ｐ〉とで囲まれた文字列『明日は全国的に春めいた陽気になるでしょう』が、この文書の本文の１つのパラグラフ（段落）であることを表す。
行３１８の〈ＵＬ〉と、行３２２の〈／ＵＬ〉とは、これらの間の文字列によって表現される文書の表示要素を、番号無しの見出しによる箇条書きの形式で表示することを示している。
【００２０】
行３１９と行３２０の〈ＬＩ〉は、これ以降次の〈ＬＩ〉もしくは〈／ＵＬ〉までの文字列が、箇条書きの１つの項目となることを示している。
行３１９の〈Ａ  ＨＲＥＦ＝“Ｔｏｋｙｏ．ｈｔｍｌ“〉東京〈／Ａ〉は、文字列『東京』から、後述の図５に示すＨＴＭＬ文書５０１『Ｔｏｋｙｏ．ｈｔｍｌ』にリンクが張られていることを表している。この文字列『東京』のように、他のファイルへのリンクが張られている文字列または画像は、ホットスポットまたはアンカーポイントと呼ばれる。例えば、ブラウザによってパソコンのモニターに表示されたホットスポット『東京』がユーザのマウス操作などにより選択された場合には、文字列『東京』にリンクされたＨＴＭＬ文書５０１『Ｔｏｋｙｏ．ｈｔｍｌ』がブラウザによって読み込まれ、その表示画像が表示される。また、タグ〈Ａ〉の属性である『ＨＲＥＦ＝』は、タグ〈Ａ〉のリンク先の指定を示し、その属性値である『”Ｔｏｋｙｏ．ｈｔｍｌ”』は、そのリンク先のファイル名を示している。
【００２１】
行３２０の〈Ａ  ＨＲＥＦ＝“Ｏｓａｋａ．ｈｔｍｌ“〉大阪〈／Ａ〉は、文字列『大阪』から、後述の図６に示すＨＴＭＬ文書６０１『Ｏｓａｋａ．ｈｔｍｌ』にリンクが張られていることを表す。行３２０の文字列『大阪』も、行３１９の文字列『東京』と同様のホットスポットであり、当該文字列『大阪』が選択された場合には、文字列『大阪』にリンクされたＨＴＭＬ文書６０１『Ｏｓａｋａ．ｈｔｍｌ』の表示画像がモニターに表示される。
【００２２】
行３２１の〈Ａ  ＨＲＥＦ＝“Ｗｅａｔｈｅｒ．ａｕ“〉音声解説〈／Ａ〉は、文字列『音声解説』から、音声情報『Ｗｅａｔｈｅｒ．ａｕ』にリンクが張られていることを表す。文字列『音声解説』は、ホットスポットであり、当該文字列『音声解説』が選択された場合には、リンクされた音声情報『Ｗｅａｔｈｅｒ．ａｕ』が再生される。
【００２３】
図５は、前記ＷＷＷホームページの第２ページの一例を記述するＨＴＭＬ文書５０１『Ｔｏｋｙｏ．ｈｔｍｌ』を示す説明図である。
ＨＴＭＬ文書５０１に記述されているタグについては、すでに説明しているので、他のページへのリンクに関する説明を除き、説明を省略する。
行５１１の〈Ａ  ＨＲＥＦ＝“Ｒｅｐｏｒｔ．ｈｔｍｌ“〉戻る〈／Ａ〉は、文字列『戻る』から、図３に示したＨＴＭＬ文書３０１『Ｒｅｐｏｒｔ．ｈｔｍｌ』にリンクが張られていることを表す。
【００２４】
図６は、前記ＷＷＷホームページの第３ページの一例を記述するＨＴＭＬ文書６０１『Ｏｓａｋａ．ｈｔｍｌ』を示す説明図である。
ＨＴＭＬ文書６０１に記述されているタグについては、すでに説明しているので、他のページへのリンクに関する説明を除き、説明を省略する。
行６１１の〈Ａ  ＨＲＥＦ＝“Ｒｅｐｏｒｔ．ｈｔｍｌ“〉戻る〈／Ａ〉は、文字列『戻る』から、図３に示すＨＴＭＬ文書３０１『Ｒｅｐｏｒｔ．ｈｔｍｌ』にリンクが張られていることを表す。
【００２５】
なお、上記情報取得部１１１は、取得リスト記憶部１２１に示されている全ファイルを連続的に取得し、取得した全ファイルを前記バッファに格納するとしてもよいし、前記ページ単位にファイルを取得して前記バッファに格納し、後述の送信データ生成部１１２の当該ページに対する処理が完了する都度、次のファイルを取得するとしてもよい。
（送信データ生成部１１２の構成の説明）
送信データ生成部１１２は、データ変換テーブル記憶部１２２と、送信データ生成用の作業領域となる図示しない記憶領域とを備える。データ変換テーブル記憶部１２２は、各ＨＴＭＬタグの制御内容とそれに対応するフラグとを示すタグテーブルと、ＴＶ表示用の文字フォントを用途別に収録したフォントファイルと、ホットスポットを記述するリンク情報のデータ通信システム１００用フォーマットを示したリンク情報テーブルとを記憶している。前記作業領域は、１ファイルのＨＴＭＬ文書を保持するためのファイル記憶領域と、タグ内の〈〉で挟まれた文字列を確保するためのタグ記憶領域と、タグ以外の文字列を確保するための文字列記憶領域と、１フレームに相当する画像データを表す表示画像情報の生成を制御するためのフラグを立てる領域となるフラグ記憶領域とからなる。前記タグ記憶領域に書き込まれた文字列と、前記文字列記憶領域に書き込まれた文字列とは、そのタグ（フラグ）に対応した処理が完了する都度、消去される。前記フラグ記憶領域には、フラグが複数あれば、上位から順にセットされ、下位から順にリセットされる。
【００２６】
図７は、データ変換テーブル記憶部１２２に格納されているリンク情報テーブル７００の一例を示す説明図である。なお、リンク情報テーブル７００に示す『９』は、１０進数一桁の数字を表す。
リンク情報テーブル７００に示されるように、リンク情報は、インデックス情報７０１とホットスポット情報７０２とからなり、インデックス情報７０１とホットスポット情報７０２とは、それぞれ〈〉で挟まれた文字列で表される。
【００２７】
インデックス情報７０１は、インデックス情報であることを示す情報識別部『ＩＮＤＥＸ  ＝』と、４桁の１０進数で表されるファイル識別番号とからなる。ファイル識別番号は、このインデックス情報が属する送信データのファイルの識別番号を示す。
ホットスポット情報７０２は、ホットスポット情報であることを示す情報識別部『ＨＯＴＳＰＯＴ  』と、対応する表示画像情報によって表される表示画像中のカーソル表示位置を示すＸ−Ｙ座標『Ｘ＝９９９、Ｙ＝９９９、』と、当該Ｘ−Ｙ座標に表示されるカーソルに対応付けられている命令『ＧＯ＿ＴＯ＿ＰＡＧＥ』と、４桁の１０進数で表されるその命令の変数値とからなる。前記命令の変数値は、当該カーソルにリンクされている他の送信データのファイルの識別番号を示す。
【００２８】
また、送信データ生成部１１２は、１つのＨＴＭＬ文書に基づいて生成される一組の表示画像情報と音声情報とリンク情報とを１つの送信データファイルとして取り扱う。送信データ生成部１１２は、後述の送信データ保持部１１３内に設けられている表示画像情報記憶部１２３と音声情報記憶部１２４とリンク情報記憶部１２５とのそれぞれに、送信データの１ファイルに格納される表示画像情報と音声情報とリンク情報とを対応づけて格納するための記憶領域を設定する。以下、表示画像情報記憶部１２３内の記憶領域を表示画像情報記憶領域、音声情報記憶部１２４内の記憶領域を音声情報記憶領域、リンク情報記憶部１２５内の記憶領域をリンク情報記憶領域という。
【００２９】
さらに、送信データ生成部１１２は、同一送信データファイルの表示画像情報と音声情報とリンク情報とを格納するために設定した表示画像情報記憶領域と音声情報記憶領域とリンク情報記憶領域とのそれぞれに、送信データ読み出し用の同一識別番号を付す。また、送信データ生成部１１２は、同一送信データファイルに属する音声情報とリンク情報とを、それぞれ１つのファイルとして管理し、それらに同一識別番号を付す。前記識別番号は、例えば、取得したファイルのファイル名２０３に対応する、取得リスト２００内の取得順番号２０１で与えられる。
【００３０】
送信データ生成部１１２は、情報取得部１１１によって取得された未処理のＨＴＭＬ文書ファイルを、取得リスト２００の取得順番号２０１に従って情報取得部１１１内のバッファから取り出し、前記作業領域のファイル記憶領域に書き込むとともに、リンク情報テーブル７００のインデックス情報７０１のフォーマットに従って、インデックス情報を生成する。さらに、生成したインデックス情報を、送信データ保持部１１３のリンク情報記憶領域の先頭に格納する。
【００３１】
さらに、送信データ生成部１１２は、ＨＴＭＬ文書の先頭から順に、タグを読み込んでは読み込んだタグとタグテーブルとを照合し、そのタグの制御内容を解釈する。制御内容の解釈は、タグ開始文字『〈』に続く文字列を１文字ずつタグ終了文字『〉』が現れるまで作業領域のタグ記憶領域に書き込んでいき、原則として、タグ終了文字が現れた時点で作業領域に書き込まれている文字列、すなわち、『〈』と『〉』とに挟まれた文字列を、タグテーブルと照合することにより解釈を行う。
【００３２】
送信データ生成部１１２は、読み込んだタグが〈（『Ａ』、『ＩＭＧ』または『／で始まる文字列』以外の文字列）〉であれば、先ず、前記解釈結果を表すフラグを作業領域のフラグ記憶領域に立て、そのフラグに対応づけて、当該タグ〈〉とそれに対応するタグ〈／〉とに挟まれた文字列を、作業領域の文字列記憶領域に確保する。相対応するタグに挟まれた文字列を、文字列記憶領域に確保する方法は、タグ内の文字列と同様である。次いで、確保した文字列をフォントファイル中の文字フォントを用いて文字の画像に変換し、当該文字画像がフラグに従って配置された表示画像情報を生成する。次いで、生成した表示画像情報を、送信データ保持部１１３に設定しておいた表示画像情報記憶領域に追加する。また、前記タグ〈〉に続くものが文字列でなく、別のタグ〈（別の文字列）〉である場合には、前のタグ〈〉に対応するフラグだけをフラグ記憶領域に立てておき、次のタグ〈（別の文字列）〉に応じた処理を行う。
【００３３】
送信データ生成部１１２は、読み込んだタグが〈ＩＭＧ〉であれば、その属性である『ＳＲＣ＝』によって指定される『”ファイル名”』の画像情報ファイルを情報取得部１１１のバッファから取り出して、そのファイル名の拡張子に応じた形式で伸長し、ビットマップデータあるいはグラフィックデータなどの一定の形式で表される画像情報に変換する。例えば、指定された画像情報ファイルのファイル名の拡張子が『．ｇｉｆ』であれば、当該画像情報をＧＩＦ形式に従って伸長し、所定の形式の画像情報に変換する。変換後の画像情報に対する制御内容を示した上位のフラグがあればその制御内容に従い、なければ初期設定による表示位置にその画像が配置されるよう表示画像情報を生成する。次いで、生成した表示画像情報を、前記表示画像情報記憶領域に追加する。
【００３４】
送信データ生成部１１２は、読み込んだタグがタグ〈Ａ〉であれば、タグ〈Ａ〉の属性である『ＨＲＥＦ＝』によって指定された『”リンク先ファイル”』が、拡張子『．ａｕ』などの音声情報であるか否かをチェックする。音声情報であれば、当該音声情報を取得リスト記憶部１２１から取り出して予め定めた一定形式の音声情報に変換し、変換後の音声情報を前記音声情報記憶領域に格納する。
【００３５】
音声情報でなければ、タグ〈Ａ〉とタグ〈／Ａ〉とで挟まれた文字列から文字画像を生成し、生成した文字画像が、上位のフラグによって配置される表示位置もしくは、初期設定による表示位置からカーソルを表示するための領域を空けて表示されるよう表示画像情報を生成する。生成した表示画像情報は、送信データ保持部１１３の表示画像情報記憶領域に追加して格納する。次いで、空き領域としたカーソル表示位置のＸ−Ｙ座標を計算する。さらに、リンク情報テーブル７００のホットスポット情報７０２を参照し、計算したカーソル表示位置のＸ−Ｙ座標と、タグ〈Ａ〉の属性『ＨＲＥＦ＝』で指定された『”リンク先ファイル名”』とから、ホットスポット情報を生成する。この際に、取得リスト２００を参照し、タグ〈Ａ〉の『”リンク先ファイル名”』から、そのファイル名２０３に対応する取得順番号２０１を調べ、当該取得順番号２０１をそのファイルの識別番号としてホットスポット情報内に記述する。もし、リンク先ファイル名が取得リストに存在しない場合には、自ファイルのファイル名をリンク先ファイル名としておく。次いで、生成したホットスポット情報を、送信データ保持部１１３のリンク情報記憶領域に追加して格納する。
【００３６】
送信データ生成部１１２は、上記処理により、１つのＨＴＭＬ文書に記述されている内容について、すべての処理を終了すると、表示画像情報領域に格納されている表示画像情報中の実際には表示されない領域の一定位置に、当該表示画像情報領域に付した識別番号を画像化して書き込む。
なお、ここでは、上記識別番号を、１０進数４桁の数字で表しているが、識別番号は、何桁であってもよく、２進数であってもよいし、文字混じりの数字や記号であってもよい。図形やバーコードなどで表されていてもよい。また、ファイル名であってもよい。さらに、音声情報記憶領域に格納されている音声情報と、リンク情報記憶領域に格納されているリンク情報とには、一般のデジタルデータファイルに付すのと同様にして、対応する記憶領域に付されている識別番号を付す。
【００３７】
このような処理により、送信データ生成部１１２は、取得されたＨＴＭＬ文書３０１、図示しない音声情報、画像情報４０１、ＨＴＭＬ文書５０１およびＨＴＭＬ文書６０１から、前記ＷＷＷホームページの第１ページの送信データ８００、第２ページの送信データ９００および第３ページの送信データ１０００を生成する。
（送信データ生成部１１２によって生成される送信データの例示）
図８は、ＨＴＭＬ文書３０１と音声情報『Ｗｅａｔｈｅｒ．ａｕ』と画像情報４０１とから生成されたＷＷＷホームページの第１ページの送信データ８００を示す説明図である。図９は、ＨＴＭＬ文書５０１から生成されたＷＷＷホームページの第２ページの送信データ９００を示す説明図である。図１０は、ＨＴＭＬ文書６０１から生成されたＷＷＷホームページの第３ページの送信データ１０００を示す説明図である。
【００３８】
図８に示す送信データ８００は、ＷＷＷホームページの第１ページを表し、表示画像情報８０１および音声情報８０２と、表示画像情報８０１に関連付けられたとリンク情報８０３とからなる。図８（ａ）は、表示画像情報８０１に基づいて表示される表示画像を用いて、表示画像情報８０１の内容を表す説明図である。図８（ｂ）は、音声情報８０２を示す説明図である。図８（ｃ）は、リンク情報８０３の内容を示す説明図である。
【００３９】
表示画像情報８０１の上部に破線で示す領域は、いずれの表示画像情報にも共通の非表示領域を示している。前記非表示領域は、表示部１５４の表示画面には表示されない。このような当該非表示領域の右上隅の位置には、送信データ生成部１１２によって画像として表された識別番号『０００１』が書き込まれている。また、表示される領域では、もとのファイルでは文字コードで表されていた文字列が画像化されて表され、画像情報として表されていた画像とともに、全体で一つの画像として１画面の表示画像を表している。
【００４０】
音声情報８０２は、ＨＴＭＬ文書３０１中のホットスポットである文字列『音声解説』にリンクされていた音声情報である。図８（ｂ）に示すように、音声情報８０２を格納しているファイルには、識別番号『０００１』が付されている。音声情報８０２と同様、図８（ｃ）に示すように、リンク情報８０３を格納しているファイルには、識別番号『０００１』が付されている。リンク情報８０３は、制御用の情報であるので表示されない。リンク情報８０３中の行８１１は、すでに説明したインデックス情報で、送信データ８００のファイルの識別番号が『０００１』であることを表す。
【００４１】
行８１２は、表示画像情報８０１上の、座標値（１００、６００）で表される位置に、命令『ＧＯ＿ＴＯ＿ＰＡＧＥ（０００２）』が関連付けられており、この位置にデータ受信装置１５０側で保持しているカーソルの画像が表示されるべきことを示している。命令『ＧＯ＿ＴＯ＿ＰＡＧＥ（０００２）』は、『０００２』という識別番号の送信データ９００で表されるページを表示せよ、という命令を表す。
【００４２】
行８１３は、表示画像情報８０１上の、座標値（１００、７００）で表される位置に、命令『ＧＯ＿ＴＯ＿ＰＡＧＥ（０００３）』が関連付けられており、この位置にカーソルの画像が表示されるべきことを示している。命令『ＧＯ＿ＴＯ＿ＰＡＧＥ（０００３）』は、『０００３』という識別番号の送信データ１０００で表されるページを表示せよ、という命令を表す。
【００４３】
図９に示す送信データ９００は、ＷＷＷホームページの第２ページを表し、表示画像情報９０１と、表示画像情報９０１に関連付けられたリンク情報９０２とからなる。図９（ａ）は、表示画像情報９０１に基づいて表示される表示画像を用いて、表示画像情報９０１の内容を表す説明図である。図９（ｂ）は、リンク情報９０２の内容を示す説明図である。
【００４４】
表示画像情報９０１は、表示画像情報８０１と同様、破線で示す非表示領域の右上隅にその識別番号『０００２』が書き込まれている。
また、図９（ｂ）に示すように、リンク情報９０２を格納しているファイルには、識別番号『０００２』が付されている。
リンク情報９０２中の行９１１は、送信データ９００のファイルの識別番号が『０００２』であることを表す。
【００４５】
行９１２は、表示画像情報９０１上の、座標値（０５０、４００）で表される位置に、命令『ＧＯ＿ＴＯ＿ＰＡＧＥ（０００１）』が関連付けられており、この位置にカーソルが表示されるべきことを表す。命令『ＧＯ＿ＴＯ＿ＰＡＧＥ（０００１）』は、『０００１』という識別番号の送信データ８００によって表されるページを表示せよ、という命令を表す。
【００４６】
図１０に示す送信データ１０００は、ＷＷＷホームページの第３ページを表し、表示画像情報１００１と、表示画像情報１００１に関連付けられたリンク情報１００２とからなる。図１０（ａ）は、表示画像情報１００１に基づいて表示される表示画像を用いて、表示画像情報１００１の内容を表す説明図である。図１０（ｂ）は、リンク情報１００２の内容を示す説明図である。
【００４７】
表示画像情報１００１の非表示領域の右上隅には、その識別番号である『０００３』が画像として書き込まれている。
また、図１０（ｂ）に示すように、リンク情報１００２を格納しているファイルには、識別番号『０００３』が付されている。
リンク情報１００２中の行１０１１は、送信データ１０００の識別番号が『０００３』であることを表す。
【００４８】
行１０１２は、表示画像情報１００１上の、座標値（０５０、４００）で表される位置に、命令『ＧＯ＿ＴＯ＿ＰＡＧＥ（０００１）』が関連付けられており、この位置にカーソルが表示されるべきことを表す。命令『ＧＯ＿ＴＯ＿ＰＡＧＥ（０００１）』は、『０００１』という識別番号の送信データ８００によって表されるページを表示せよ、という命令を表す。
（情報取得部１１１、送信データ生成部１１２の処理の例示説明）
以下、図３、図４、図５および図６に例示したファイルを取得し、それを用いて、図８、図９および図１０の送信データを生成するまでの情報取得部１１１および送信データ生成部１１２の処理について具体的に説明する。
（情報取得部１１１の処理）
情報取得部１１１は、取得リスト記憶部１２１に示されるインターネット上のＷＷＷサーバに接続を要求し、当該ＷＷＷサーバから、取得すべきＨＴＭＬ文書３０１『Ｒｅｐｏｒｔ．ｈｔｍｌ』を取得する。次いで、取得したＨＴＭＬ文書３０１にファイル名『Ｒｅｐｏｒｔ．ｈｔｍｌ』を付し、バッファに格納する。同様にして、ＷＷＷサーバから、圧縮画像情報４０１、ＨＴＭＬ文書５０１およびＨＴＭＬ文書６０１を取得する。
（送信データ生成部１１２の処理）
送信データ生成部１１２は、送信データ保持部１１３内に、表示画像情報８０１用記憶領域と、音声情報８０２用記憶領域と、リンク情報８０３用記憶領域とからなる送信データ８００格納用の記憶領域を設定し、設定した記憶領域に、送信データ８００読み出し用の識別番号『０００１』を付与する。情報取得部１１１の前記バッファから未処理のＨＴＭＬ文書３０１を取り出し、取り出したＨＴＭＬ文書３０１を作業領域のファイル記憶領域に書き込む。
【００４９】
送信データ生成部１１２は、ＨＴＭＬ文書３０１に付されたファイル名『Ｒｅｐｏｒｔ．ｈｔｍｌ』から、ＷＷＷホームページの第１ページを表す送信データ８００の行８１１に示したインデックス情報『〈ＩＮＤＥＸ  ＝０００１〉』を生成し、送信データ保持部１１３内のリンク情報８０３用記憶領域の先頭に格納する。
【００５０】
送信データ生成部１１２は、ＨＴＭＬ文書３０１から行３１１のタグ〈ＨＴＭＬ〉を読み込む。読み込んだタグ〈ＨＴＭＬ〉内の文字列『ＨＴＭＬ』を、作業領域内のタグ記憶領域に確保し、データ変換テーブル記憶部１２２内のタグテーブルを参照して解釈し、ＨＴＭＬ文書３０１の開始行であることを識別する。この後、タグ記憶領域の文字列『ＨＴＭＬ』を消去する。
【００５１】
次いで、送信データ生成部１１２は、行３１２のタグ〈Ｈ１〉を読み込み、タグ〈Ｈ１〉をタグテーブルを参照して解釈し、作業領域内のフラグ記憶領域に見出しフラグを立てる。見出しフラグは、タグ〈Ｈ１〉に続く文字列が見出しであり、見出し用フォントを用いて表示されるべきことを示している。続いて、タグ〈／Ｈ１〉が現れるまで、タグ〈Ｈ１〉に続く文字列を１文字ずつ前記文字列記憶領域に書き込みながら、結果として文字列『天気予報』を読み込み、タグ〈／Ｈ１〉が現れると、文字列記憶領域内の文字列『天気予報』を、あらかじめ定められた見出し用のフォントで表示画像情報化する。生成した表示画像情報を、送信データ保持部１１３に設定してある表示画像記憶領域に追加する。前記作業領域に立てた見出しフラグをリセットし、文字列記憶領域に確保した文字列『天気予報』とタグ記憶領域に確保した文字列『Ｈ１』を消去する。
【００５２】
送信データ生成部１１２は、行３１３のタグ〈ＣＥＮＴＥＲ〉を読み込み、作業領域に中よせフラグを立てる。中よせフラグは、当該フラグに続いて読み込まれる文字列を中よせで表示すべきことを示している。次に、タグ〈ＣＥＮＴＥＲ〉に続く文字列を読み込もうとすると文字列がないので、行３１４の読み込みに移る。
【００５３】
送信データ生成部１１２は、行３１４のタグ〈ＩＭＧ  ＳＲＣ＝“Ｗｅａｔｈｅｒ．ｇｉｆ“〉を読み込み、読み込んだタグ〈ＩＭＧ  ＳＲＣ＝“Ｗｅａｔｈｅｒ．ｇｉｆ“〉を、タグテーブルを参照して解釈する。送信データ生成部１１２は、ファイル名“Ｗｅａｔｈｅｒ．ｇｉｆ“で表される画像情報４０１のファイルが情報取得部１１１のバッファに存在するか否かを調べ、存在するので、これを読み出す。次いで、読み出したファイルに圧縮されて格納されている画像情報４０１を、ＧＩＦ伸長方式に従って例えばビットマップデータに変換する。
【００５４】
送信データ生成部１１２は、行３１５のタグ〈／ＣＥＮＴＥＲ〉を読み込み、ビットマップデータに変換された画像情報４０１を、作業領域に立てた中よせフラグに従って配置する。このように生成された表示画像情報を、送信データ保持部１１３内の表示画像記憶領域に追加する。次いで、作業領域の中よせフラグをリセットする。
【００５５】
送信データ生成部１１２は、行３１６のタグ〈Ｐ〉を読み込み、段落フラグを立てる。段落フラグは、当該フラグに続くタグ〈／Ｐ〉までの文字列を、その直後に空白行が挿入される一つの段落として表示すべきことを示している。行３１２の『天気予報』と同様にして、文字列『明日は全国的に春めいた陽気になるでしょう』を読み込み、作業領域の文字列記憶領域に確保する。続いて、タグ〈／Ｐ〉を読み込むと、保持している文字列『明日は全国的に春めいた陽気になるでしょう』を、フォントファイルに記憶している段落用フォントで画像化し、表示画像情報として送信データ保持部１１３内の表示画像情報８０１用記憶領域に追加する。さらに、作業領域をリセットする。
【００５６】
同様に、送信データ生成部１１２は、行３１８のタグ〈ＵＬ〉を読み込み、解釈して、作業領域に箇条書きフラグを立てる。箇条書きフラグは、当該フラグの後、１項目の文字列と解釈される文字列を、番号なしの項目として箇条書き表示すべきことを示している。
送信データ生成部１１２は、行３１９のタグ〈ＬＩ〉を読み込み、タグテーブルを参照して、１項目の先頭であることを解釈し、フラグ記憶領域に項目フラグを立てる。項目フラグは、タグ〈ＬＩ〉またはタグ〈／ＵＬ〉を読み込んだときに、表示画像の表示位置を改行するべきことを示している。
【００５７】
送信データ生成部１１２は、タグ〈ＬＩ〉に続いて、タグ〈Ａ  ＨＲＥＦ＝“Ｔｏｋｙｏ．ｈｔｍｌ“〉を読み込み、タグ記憶領域に書き込む。送信データ生成部１１２は、タグテーブルに従ってタグ〈Ａ  ＨＲＥＦ＝“Ｔｏｋｙｏ．ｈｔｍｌ“〉を解釈し、前記フラグ記憶領域にさらに、リンクフラグを立てる。
リンクフラグは、タグ〈Ａ〉内の属性値の拡張子から、リンク先ファイルが音声情報か否かを調べ、音声情報であればその音声情報を所定の形式に変換し、変換後の音声情報を音声情報記憶領域に格納して、当該タグ〈Ａ〉に関する処理を終了するべきことを示している。また、リンクフラグは、リンク先ファイルが音声情報でなければ、タグ〈Ａ〉とタグ〈／Ａ〉とに挟まれた、タグ〈Ａ〉によってリンクが張られている文字列の直前に、カーソル表示用領域として２文字分の空白部分を設けて文字列を画像化し、当該文字列の表示画像情報を生成するとともに、さらに、ホットスポット情報７０２のフォーマットに従って、ホットスポット情報を生成すべきことを示している。
【００５８】
送信データ生成部１１２は、タグ〈Ａ  ＨＲＥＦ＝“Ｔｏｋｙｏ．ｈｔｍｌ“〉に続く文字列『東京』をタグ〈／Ａ〉が現れるまで読み込み、作業領域の文字列記憶領域に書きこむ。送信データ生成部１１２は、タグ〈／Ａ〉を読み込むと、文字列『東京』の直前に、２文字分の空白部分を設けて文字列『東京』を画像化し、箇条書きフラグとに従って文字列『東京』を配置し、表示画像情報を生成して送信データ保持部１１３の表示画像情報８０１用記憶領域に追加する。次いで、送信データ生成部１１２は、カーソルの表示位置の座標を計算する。さらに、計算した座標値（１００、６００）と、作業領域のタグ記憶領域に記憶している属性値『Ｔｏｋｙｏ．ｈｔｍｌ』とから、図８の行８１２に示したホットスポット情報を生成する。次いで、生成したホットスポット情報を、送信データ保持部１１３内のリンク情報８０３用記憶領域に追加する。その後、作業領域のタグ記憶領域に書き込まれているタグ内文字列『Ａ  ＨＲＥＦ＝“Ｔｏｋｙｏ．ｈｔｍｌ“』と、文字列記憶領域に書き込まれている文字列『東京』とを消去し、リンクフラグをリセットする。
【００５９】
送信データ生成部１１２は、行３２０のタグ〈ＬＩ〉を読み込んだ後、項目フラグがあるので表示画像の表示位置を改行し、行３１９の処理と同様にして、文字列『大阪』の表示画像情報を生成するとともに、図８の行８１３に示したホットスポット情報を生成する。生成した表示画像情報は送信データ保持部１１３内の表示画像情報８０１用記憶領域に追加し、ホットスポット情報は送信データ保持部１１３内のリンク情報８０３用記憶領域に追加する。この後、タグ内文字列『Ａ  ＨＲＥＦ＝“Ｏｓａｋａ．ｈｔｍｌ“』と文字列『大阪』とを消去し、リンクフラグをリセットする。
【００６０】
次いで、送信データ生成部１１２は、行３２１のタグ〈ＬＩ〉を読み込んだ後、項目フラグがあるので表示画像の表示位置を改行し、タグ〈Ａ  ＨＲＥＦ＝“Ｗｅａｔｈｅｒ．ａｕ“〉に従って、リンクフラグを立てる。リンクフラグに従って属性値の拡張子を調べると、リンク先ファイルがＡＵ形式の音声情報であるので、ＡＵ形式を予め定められた一定の形式に変換して、変換後の音声情報を音声情報８０２用記憶領域に格納する。
【００６１】
次いで、行３２２のタグ〈／ＵＬ〉を読み込み、箇条書きの終了を解釈すると、箇条書きフラグと項目フラグとをリセットする。
さらに、行３２３のタグ〈／ＨＴＭＬ〉を読み込み、ＨＴＭＬ文書３０１の終了であることを解釈すると、送信データ８００の生成処理を完了する。
この後、送信データ生成部１１２は、未処理のＨＴＭＬ文書５０１があることを調べ、送信データ保持部１１３内に、表示画像情報９０１用記憶領域と、リンク情報９０２用記憶領域とからなる送信データ９００格納用の記憶領域を設定し、設定した両記憶領域に、送信データ９００読み出し用の識別番号『０００２』を付与する。情報取得部１１１の前記バッファから未処理のＨＴＭＬ文書５０１を取り出し、取り出したＨＴＭＬ文書５０１を作業領域に書き込む。
【００６２】
送信データ生成部１１２は、ＨＴＭＬ文書５０１に付されたファイル名『Ｔｏｋｙｏ．ｈｔｍｌ』から、ＷＷＷホームページの第２ページを表す送信データ９００の行９１１に示したインデックス情報『〈ＩＮＤＥＸ  ＝０００２〉』を生成し、送信データ保持部１１３のリンク情報９０２用記憶領域の先頭に格納する。以下、ＨＴＭＬ文書３０１と画像情報４０１とから送信データ８００を生成したのと同様にして、ＨＴＭＬ文書５０１から送信データ９００を、ＨＴＭＬ文書６０１から送信データ１０００を生成することができるので、以降の説明を省略する。
（送信データ保持部１１３、送信データ読出部１１４、多重化部１１５、送信部１１６の構成の説明）
送信データ保持部１１３は、同時読み出しが可能な、表示画像情報記憶部１２３と音声情報記憶部１２４とリンク情報記憶部１２５とを備える。
【００６３】
表示画像情報記憶部１２３は、例えば、ＲＡＭやハードディスク装置などによって実現され、送信データ生成部１１２によって設定された複数の表示画像記憶領域を有する。各表示画像情報記憶領域は、送信データ生成部１１２によって生成された表示画像情報の１ファイル分を保持する。
音声情報記憶部１２４は、ＲＡＭやハードディスク装置などによって実現され、送信データ生成部１１２によって設定された複数の音声情報記憶領域を有する。各音声情報記憶領域は、送信データ生成部１１２によって生成された１ファイル分の音声情報を保持する。
【００６４】
リンク情報記憶部１２５は、ＲＡＭやハードディスク装置などによって実現され、送信データ生成部１１２によって設定された複数のリンク情報記憶領域を有する。各リンク情報記憶領域は、送信データ生成部１１２によって生成されたリンク情報の１ファイル分を保持する。
送信データ読出部１１４は、送信データ保持部１１３内に設定された各記憶領域から、送信データのファイルを識別番号の順に、同一送信データファイル内の表示画像情報と音声情報とリンク情報とを同時に読み出し、それぞれを多重化部１１５に出力する。また、末尾の識別番号に対応する送信データのファイルを読み出した後、当該識別番号が『０００１』の送信データに戻って、識別番号順に送信データを読み出す。すなわち、送信データ読出部１１４は、送信データ保持部１１３内に格納されている送信データを、識別番号の順に巡回して読み出し、多重化部１１５に出力する。その際、音声情報が存在しない場合と、存在する場合とで読み出し方が次のように異なる。すなわち送信データ読出部１１４は、音声情報が存在しない場合には、その送信データファイルを１回読み出した後、次の識別番号の送信データファイルの読み出しに移る。音声情報が存在する場合には、その送信データファイルから音声情報を読み出し、さらに、当該音声情報の再生に要する時間、その送信データファイルの表示画像情報とリンク情報とを複数回読み出した後、次の識別番号の送信データファイルの読み出しに移る。例えば、音声情報の再生時間が２秒だとすると、送信データ読出部１１４は、音声情報を１回読み出すとともに、表示画像情報とリンク情報とを６０回（２秒＊３０フレーム／秒）読み出して、次の識別番号の送信データファイルの読み出しに移る。これにより音声情報の送信時間を確保している。
【００６５】
多重化部１１５は、送信データ読出部１１４によって読み出された表示画像情報（音声情報を含む）とリンク情報とを多重化し、送信部１１６に出力する。多重化の方法は、例えば、従来のＴＶ放送用文字多重化技術を用いる。この場合、表示画像情報と音声情報とは、画像と音声とからなる従来の放送番組と同様に、また、リンク情報は、放送番組に多重化される一般の文字情報と同様に多重化する。つまり、音声情報が存在しない場合には、表示画像情報は１フレーム分のテレビジョン映像信号の映像区間に、リンク情報は当該１フレーム分のテレビジョン信号の帰線区間に載せられて送信される。音声情報が存在する場合には、音声情報はテレビジョン音声信号に、表示画像情報、リンク情報は、当該音声データの再生時間にかかる複数フレームにわたって、テレビジョン映像信号の映像区間、帰線区間に載せられて送信される。
【００６６】
送信部１１６は、多重化部１１５によって多重化された送信データを順次、ＴＶ放送用地上波で送信する。
（送信データの送信方法の説明）
図１１は、送信部１１６による送信データの送信方法を示す説明図である。なお、図１１では、第１ページから第ｎ（ｎは自然数）ページまでの送信データが送信データ生成部１１２によって生成された場合について示している。また、図１１は、同一識別番号を有する表示画像情報と音声情報との組を、ＴＶの通常の放送番組に対応づけた１送信単位として表し、１つの識別番号を有するリンク情報を、前記放送番組に多重化される一般の文字情報に対応づけた１送信単位として表している。
【００６７】
図１１に示すように、同一送信データファイルに格納されている表示画像情報、音声情報、リンク情報には同一の識別番号が付されて対応付けられている上に、ここではさらに、時間的にも対応付けられて送信される。そして、送信データ保持部１１３に保持されている第１ページから第ｎページまでの送信データは、識別番号の順に繰り返し送信される。
【００６８】
なお、ここでは、送信データ読出部１１４が、同一送信データファイルに格納される表示画像情報と音声情報とリンク情報とを、表示画像情報記憶部１２３と音声情報記憶部１２４とリンク情報記憶部１２５とから同時に読み出し、それによって、表示画像情報と音声情報とリンク情報とを、識別番号と送信タイミングとの両方で対応付けて送信するとしたが、表示画像情報（音声情報を含む）とリンク情報とは、必ずしも送信タイミングまで合わせて送信される必要はない。例えば、送信データ読出部１１４を、第１読み出し部と第２読み出し部との２つの構成要素から構成し、第１読み出し部は表示画像情報記憶部１２３内と音声情報記憶部１２４とに生成されている表示画像情報と音声情報との組を連続的に読み出して多重化部１１５に出力し、第２読み出し部はリンク情報記憶部１２５内に生成されているリンク情報だけを連続的に読み出して多重化部１１５に出力する、としてもよい。このようにすると、同一送信データファイルに格納されている表示画像情報とリンク情報とであっても、それらが送信部１１６から送信されるタイミングは、必ずしも一致するとは限らないが、表示画像情報とリンク情報とにはそれぞれ識別番号が付されているので、その識別番号によってデータ受信装置１５０側で対応する表示画像情報とリンク情報とを取り込むことができる。
【００６９】
また、多重化部１１５が、送信データ生成部１１２によって生成された表示画像情報（音声情報を含む）とリンク情報とを多重化し、送信部１１６が、多重化された送信データをＴＶ放送用地上波で送信するとしたが、表示画像情報とリンク情報とは、必ずしも多重化されて送信される必要はなく、例えば、表示画像情報と音声情報とをＴＶ放送用地上波あるいは衛星デジタル放送などで送信し、リンク情報は電話回線とモデムなどを利用して送信するようにしてもよい。また、複数チャネルを用いて送信するようにしてもよい。
【００７０】
さらに、データ送信方法として衛星デジタル放送を利用する場合には、例えば、ＭＰＥＧ２ビデオ規格、システム規格に基づく圧縮符号化技術および多重化技術を用い、表示画像情報をＩピクチャとし、音声情報およびリンク情報をプライベート情報として送信するようにしてもよい。このように、表示画像情報および音声情報とリンク情報とを、デジタルデータとして送信することができる場合には、上記のように表示画像情報中の非表示領域に画像化された識別番号を書き込んでおく必要はなく、表示画像情報や音声情報も、リンク情報と同様に、単に識別番号を付して送信することができる。なお、ＭＰＥＧ２規格については、『最新ＭＰＥＧ教科書』（株式会社アスキー出版局発売）に詳しく記述されている。
【００７１】
図３１に、衛星デジタル放送を利用する場合に送信される多重化ストリームの説明図を示す。同図の上段は、ＭＰＥＧ２規格によるトランスポートストリームを表している。このトランスポートストリームは、多重化部１１５により多重化される。
トランスポートストリーム中の「Ｖ１、Ａ１、Ｌ１」は、識別番号１に対応する送信データファイルから読み出されて多重化された表示画像情報、音声情報、リンク情報を示している。「Ｖ２、Ａ２、Ｌ２」〜「Ｖｎ、Ａｎ、Ｌｎ」も同様である。
【００７２】
「Ｖ１」は、ＭＰＥＧ２規格に準拠してＩ(Intra)ピクチャに変換された表示画像情報を表すビデオエレメンタリーストリームであり、ストリームを区別するためのＰＩＤ（Packet IDentifier）「0x0100」が付与されている。「Ｖ２」以降も同様である。
「Ａ１」は、ＭＰＥＧ２規格に準拠して変換された音声情報を表すオーディオエレメンタリーストリームであり、ストリームを区別するためのＰＩＤ「0X0101」が付与されている。「Ａ２」以降も同様である。
【００７３】
「Ｌ１〜Ｌｎ」は、各リンク情報を載せるためのＭＰＥＧ２規格に準拠するプライベートセクションであり、プライベートセクションを区別するためのテーブルＩＤ「０ｘＢ０」が付与され、さらに個々のリンク情報を区別するためにテーブルＩＤエクステンションに識別番号が設定されている。各リンク情報には、対応する表示画像における一部の画像領域と、他の表示画像へのリンクを示す情報とからなる少なくとも１つの組みが設定される。例えば「Ｌ１」では、座標（Ｘ、Ｙ）＝（100、600）を中心とする画像領域に対して、識別子０００２の表示画像へのリンク（GOTO_PAGE(0002)）が設定され、座標（Ｘ、Ｙ）＝（100、700）を中心とする画像領域に対して、識別子０００３の表示画像へのリンク（GOTO_PAGE(0002)）が設定されている。
【００７４】
また、上記のＰＩＤと識別番号との対応関係は、ＭＰＥＧ２規格に準拠したＰＭＴ(Prgram Map Table)に設定される。同図のようにＰＭＴ中のcomponent_tagに識別番号を設定するなど、ＰＭＴ中のデスクリプターに上記ＰＩＤと識別番号との対応関係を記述しておけばよい。
この場合、上記ビデオエレメンタリーストリーム、オーディオエレメンタリーストリーム、プライベートセクションが、送信データ生成部１１２により作成され、それぞれ送信データ保持部１１３に記憶される。送信データ保持部１１３に保持されているビデオエレメンタリーストリーム、オーディオエレメンタリーストリーム、プライベートセクションの１セットは、上記の送信データファイルに相当する。送信データ保持部１１３に保持された上記１セットのビデオエレメンタリーストリーム、オーディオエレメンタリーストリーム、プライベートセクションはいずれも１回ずつ読み出されることになる。送信データ読出部１１４は全ての送信データファイルを巡回的に読み出す。さらに図３１のトランスポートストリームは、多重化部１１５により作成される。
【００７５】
このようにしてトランスポートストリームにｎ個の表示画像情報、音声情報、リンク情報の組みとＰＭＴとを多重化すれば、衛星デジタル放送を用いて容易に送信可能となる。
（データ送信装置１１０全体の概略的処理手順）
以下、図１２から図１４を用いて、データ送信装置１１０の処理手順について具体的に説明する。
【００７６】
図１２は、データ送信装置１１０全体の概略的処理手順を示すフローチャートである。
情報取得部１１１は、外部データベースから所定の情報を取得し、内部のバッファに格納する（ステップＳ１１０１）。
送信データ生成部１１２は、情報取得部１１１が取得した情報を解釈して、表示画像情報と、音声情報と、リンク情報とを生成し、送信データ保持部１１３に格納する（ステップＳ１１０２）。
【００７７】
送信データ読出部１１４が、送信データ保持部１１３内の送信データを、識別番号順に巡回して読み出す（ステップＳ１１０３）。
多重化部１１５が、読み出された表示画像情報（音声情報を含む）とリンク情報とを多重化し、送信部１１６が、多重化された送信データをＴＶ放送用地上波を用いて送信する（ステップＳ１１０４）。
（情報取得部１１１の処理手順）
図１３は、情報取得部１１１による情報取得処理の手順の一例を示すフローチャートである。
【００７８】
情報取得部１１１は、取得リスト記憶部１２１内の取得情報リストを参照し、まだ取得されていない情報が有るか否かをチェックする（ステップＳ１２０１）。存在しなければ情報取得処理を終了する。存在すれば、まだ取得していない情報の取得先アドレス（ＵＲＬ）を１つ取り出す（ステップＳ１２０２）。
取り出したアドレスをもとに外部データベースに接続を要求し（ステップＳ１２０３）、接続が成功したかどうかを確認する（ステップＳ１２０４）。失敗の場合、ステップＳ１２０３へ戻る（ステップＳ１２０４）。
【００７９】
接続が成功したら、取得情報リストからまだ取得していない情報のファイル名を読み出し、当該外部データベースから目的のファイルを取得して内部のバッファに記憶する（ステップＳ１２０５）。ステップＳ１２０１へ戻る。
（送信データ生成部１１２の処理手順）
図１４は、送信データ生成部１１２による送信データ生成処理の手順の一例を示すフローチャートである。
【００８０】
送信データ生成部１１２は、情報取得部１１１内のバッファを参照し、未処理のＨＴＭＬ文書があるか否かをチェックする（ステップＳ１３０１）。なければ表示画像生成処理を終了する。あれば、送信データ格納用の記憶領域を送信データ保持部１１３内に設定し、設定した記憶領域に識別番号を付すとともに、未処理のＨＴＭＬ文書を前記バッファから１つ取り出す（ステップＳ１３０２）。
【００８１】
取り出したＨＴＭＬ文書のファイル名から、送信データのファイル名を示すインデックス情報を作成し、送信データ保持部１１３に設定したリンク情報記憶領域に追加する（ステップＳ１３０３）。
取り出したＨＴＭＬ文書から１文字読み込み、文字列記憶領域に書きこむ（ステップＳ１３０４）。
【００８２】
読み込んだ文字がタグ開始文字『〈』か否かをチェックする（ステップＳ１３０５）。タグ開始文字の場合、ステップＳ１３０７へ移る。タグ開始文字でない場合、読み込んだ文字を作業領域内の文字列記憶領域に追加して書き込み、ステップＳ１３０４へ戻る（ステップＳ１３０６）。
次の文字を１文字読み込む（ステップＳ１３０７）。タグ終了文字『〉』か否かをチェックする（ステップＳ１３０８）。タグ終了文字の場合、ステップＳ１３１０へ移る。タグ終了文字でない場合、読み込んだ文字を作業領域内のタグ記憶領域に追加して書き込み、ステップＳ１３０７に戻る（ステップＳ１３０９）。
【００８３】
タグ記憶領域内の文字列をタグテーブルと照合し、『／』で始まる文字列か否かをチェックする（ステップＳ１３１０）。『／』で始まる文字列の場合、読み込んだタグが〈／ＨＴＭＬ〉タグか否かをチェックする（ステップＳ１３１１）。〈／ＨＴＭＬ〉タグの場合、作業領域をすべてリセットしてステップＳ１３０１に戻る。〈／ＨＴＭＬ〉タグでない場合、そのタグに対応してフラグ記憶領域にセットされている最下位フラグに応じた処理を行い、作業領域内の対応する記憶領域をリセットして（ステップＳ１３１２）、ステップＳ１３０４に戻る。
【００８４】
ステップＳ１３１０において、『／』で始まる文字列でない場合、読み込んだタグが〈ＩＭＧ〉タグか否かをチェックする（ステップＳ１３１３）。〈ＩＭＧ〉タグの場合は、〈ＩＭＧ〉タグの属性値で指定されているファイル名の画像情報ファイルを、情報取得部１１１のバッファから取り出す（ステップＳ１３１４）。取り出した画像情報を、ＧＩＦ伸長方式に従って、ビットマップデータで表される画像情報に変換し、ステップＳ１３０４に戻る（ステップＳ１３１５）。
【００８５】
読み込んだタグが〈ＩＭＧ〉タグでない場合、タグ記憶領域内の文字列をタグテーブルと照合し、そのタグに対応したフラグをフラグ記憶領域に立て、あるいはそのタグに対応した処理を行い（ステップＳ１３１６）、ステップＳ１３０４に戻る。
なお、ＨＴＭＬ文書では、多種のタグが用いられており、それらのタグに対応する処理は既存のブラウザと同様にして処理することができる。従って、以下では、データ通信システム１００専用のフォーマットで生成されるリンク情報の生成に関係した、〈／Ａ〉タグに対する処理についてのみ、ステップＳ１３１２における処理の一例として説明する。
【００８６】
図１５は、図１４のステップＳ１３１２における処理手順の一部具体例を示すフローチャートである。
〈Ａ〉タグか否かをチェックする（ステップＳ１４０１）。〈Ａ〉タグでない場合、ステップＳ１４０８に移る。
〈Ａ〉タグの場合、属性値で示されるリンク先ファイルが音声情報ファイルか否かをチェックする（ステップＳ１４０２）。音声情報ファイルの場合、ステップＳ１４０７に移る。
【００８７】
音声情報ファイルでなければ、カーソル図形の表示領域をあけて文字列記憶領域に確保された文字列の表示画像情報を生成し、送信データ保持部１１３内の表示画像情報記憶領域に追加する（ステップＳ１４０３）。
カーソル図形の表示位置を示すＸ−Ｙ座標を計算する（ステップＳ１４０４）。
【００８８】
計算したＸ−Ｙ座標と、タグ記憶領域に確保した属性値とから、ホットスポット情報を生成し、送信データ保持部１１３のリンク情報記憶領域に追加して格納する（ステップＳ１４０５）。
作業領域内のリンクフラグをリセットし、タグ記憶領域と文字列記憶領域内の文字列を消去する（ステップＳ１４０６）。
【００８９】
音声情報ファイルを取り出し、ファイル内の音声情報を予め定められた一定の形式に変換して音声情報記憶領域に格納する（ステップＳ１４０７）。
読み込んだタグに対応した処理を行う（ステップＳ１４０８）。
（データ受信装置１５０の構成の説明）
以下、図１６から図２０を用いて、データ受信装置１５０の各構成について説明する。
（受信分離部１５１の構成）
受信分離部１５１は、送信データに付されている識別番号を読み取るための読み取りバッファ１６１を備える。読み取りバッファ１６１は、１ファイル分の表示画像情報（音声情報を含む）と、１ファイル分のリンク情報とを、それぞれに一時保持するための記憶領域を有する。
【００９０】
受信分離部１５１は、受信した送信データから表示画像情報（音声情報を含む）とリンク情報とを分離し、分離した１ファイル分の表示画像情報（音声情報を含む）と、１ファイル分のリンク情報とを、それぞれに対応する読み取りバッファ１６１内の記憶領域に格納する。前記記憶領域に格納されている表示画像情報については、その表示画像情報の非表示領域内の一定位置に書き込まれている画像を文字認識することによりその識別番号を読み取る。前記記憶領域に格納されているリンク情報については、一般的なデジタルデータのファイルに付されている識別番号を読み取るのと同様にして読み取る。読み取った識別番号が、制御部１５５に指示された識別番号であれば、読み取りバッファ１６１に保持しているその表示画像情報（音声情報を含む）またはそのリンク情報を、受信データ保持部１５２内の対応する記憶領域に格納する。このとき音声情報については、受信分離部１５１は、表示画像情報を格納すると同時に音声情報を受信データ保持部１５２内の対応する記憶領域に格納し、さらに制御部１５５に指示された識別番号と同じ識別番号の表示画像情報が連続して送信されている間は、音声情報を蓄積していく。これにより複数フレームにまたがって送信される音声情報を分離している。
【００９１】
読み取った識別番号が、制御部１５５に指示された識別番号でなければ、読み取りバッファ１６１に保持しているその表示画像情報（音声情報を含む）またはそのリンク情報を廃棄し、制御部１５５に指示された識別番号を読み取るまで、新たな表示画像情報（音声情報を含む）とリンク情報とを読み取りバッファ１６１に取り込み、上記処理を繰り返す。
（受信データ保持部１５２、再生部１５３、表示部１５４の構成）
受信データ保持部１５２は、受信分離部１５１によって分離された表示画像情報（音声情報を含む）とリンク情報とを識別番号により対応づけて格納する。表示画像情報を記憶するための領域は、例えば、１画面の静止画像を格納するためのＲＡＭやハードディスク装置などにより実現される。
【００９２】
再生部１５３は、制御部１５５の指示に従って、受信データ保持部１５２内に格納されている表示画像情報と、制御部１５５から入力される後述の図形情報とを再生し、表示部１５４に出力する。また、表示画像情報の再生と同期して、表示画像情報とともに格納されている音声情報を再生し、音声出力部１５７に出力する。
【００９３】
表示部１５４は、ＮＴＳＣ方式などに従って画像を表示するＴＶモニタなどで実現され、再生部１５３からの入力に従って、表示画像とカーソル図形とを画面に表示する。
（制御部１５５の構成）
制御部１５５は、まず、変数値を記憶するレジスタに初期値を設定し、その初期値で示されるページに対応した、例えば識別番号『０００１』の表示画像情報（音声情報を含む）とリンク情報とを取り込むよう受信分離部１５１に指示する。
【００９４】
制御部１５５は、受信データ保持部１５２に新たな表示画像情報（音声情報を含む）が格納される都度、その表示画像情報（音声情報を含む）の再生を再生部１５３に指示し、受信データ保持部１５２に新たなリンク情報が格納される都度、そのリンク情報を解釈して、各カーソル表示位置に後述のカーソル図形を対応づけたカーソル図形対応表を作成する。なお、前記カーソル図形は、制御部１５５が内部に保持している図形情報によって表される。さらに、制御部１５５は、カーソル図形を表す図形情報と、その表示位置とを再生部１５３に出力して、その図形情報の再生を指示する。
【００９５】
図１６は、制御部１５５が、カーソル図形の表示位置を制御するために作成するカーソル図形対応表の一例を示す説明図である。
カーソル図形対応表は、受信データ保持部１５２に保持されているリンク情報のホットスポット情報で示される各カーソル表示位置と、その表示位置に表示されるべきカーソル図形のカーソル番号との対応を示す。制御部１５５は、例えば、リンク情報中の各カーソル表示位置に対し、Ｙ座標が小さい順に、次いでＸ座標が小さい順に、カーソル番号を付し、カーソル図形対応表の当該カーソル番号に対応する項目にその表示位置を書き込む。
【００９６】
図１７は、制御部１５５が保持している図形情報の一例を示す説明図である。
制御部１５５は、図１７に示すように、各カーソル番号に対応づけて、そのカーソルが選択されたときのカーソル図形と、選択されていないときのカーソル図形とを表した図形情報を保持している。
さらに、制御部１５５は、信号受信部１５６からの割込みに応じ、信号受信部１５６の保持する入力信号の種別を解釈して、対応するカーソル図形の図形情報を選び、再生部１５３に出力する。次いで、選択が確定されたカーソルに従って、受信分離部１５１の送信データの取り込みを制御する。
（受信データの表示制御処理）
なお、以下では、受信分離部１５１によって受信データ保持部１５２内の対応する記憶領域に格納された、同一識別番号を有する表示画像情報（音声情報を含む）とリンク情報との組を受信データということにし、制御部１５５による受信データの表示制御処理について、さらに具体的に説明する。
【００９７】
制御部１５５は、表示すべき受信データの識別番号を表す変数Ｐ−Ｉｎｄｅｘをあらかじめ定められた値、例えば『１』に設定する。次に、選択状態のカーソル番号を表す変数Ｃｕｒ−Ｐｏｓを、あらかじめ定められた値、例えば『１』に設定する。制御部１５５は、変数Ｐ−Ｉｎｄｅｘの示す送信データの取り込みを受信分離部１５１に指示する。さらに、その指示に従って取り込まれ、受信データ保持部１５２に格納された受信データのリンク情報を解釈して、変数Ｃｕｒ−Ｐｏｓの示すカーソルを選択状態とした各カーソルの図形情報を、対応する表示位置とともに再生部１５３に出力する。次いで、信号受信部１５６からの割込みが発生すると、信号受信部１５６に保持されている入力信号を解釈する。まず、入力が『上』か否かをチェックし、『上』であれば変数Ｃｕｒ−Ｐｏｓの値を１減らす。入力が『下』か否かをチェックし、『下』であれば変数Ｃｕｒ−Ｐｏｓの値を１増やす。入力が『確定』か否かをチェックし、『確定』であれば変数Ｃｕｒ−Ｐｏｓで示されるカーソル番号からその表示位置の座標を求め、その座標からホットスポット情報に記述されたリンク先のファイルの識別番号を得る。さらに、その識別番号を変数Ｐ−Ｉｎｄｅｘの値に設定し、変数Ｐ−Ｉｎｄｅｘの示す送信データの取り込みを受信分離部１５１に指示する。
（信号受信部１５６、音声出力部１５７の構成）
信号受信部１５６は、外部の図示しないリモコン等からの入力信号を受信すると、入力信号受信による制御部１５５への割込みを発生し、受信した入力信号を保持する。
【００９８】
音声出力部１５７は、スピーカなどによって実現され、再生された音声情報を音声として出力する。
（表示画像の例示）
図１８は、図８の送信データ８００に基づいて表示部１５４に表示される初期画面の表示画像１８００を示す説明図である。
【００９９】
図１８に示すように、表示画像１８００には、リンク情報８０３の行８１２に示したホットスポット情報に従い、表示画像情報８０１によって表される表示画像中の表示位置（１００、６００）に、カーソル番号『１』に対応したカーソル図形１８０１が表示されている。なお、制御部１５５の変数Ｃｕｒ−Ｐｏｓの初期値により、カーソル図形１８０１として、選択状態を示す図形情報が選ばれている。
【０１００】
同様に、リンク情報８０３の行８１３に示したホットスポット情報に従い、表示位置（１００、７００）に、カーソル番号『２』に対応したカーソル図形１８０２が表示されている。なお、カーソル番号『２』は、変数Ｃｕｒ−Ｐｏｓの初期値ではないので、カーソル図形１８０２として非選択状態を示す図形情報が選ばれている。
【０１０１】
なお、送信データ８００には、表示画像情報８０１とともに音声情報８０２が含まれているので、表示部１５４に表示画像１８００が表示されるとともに、音声による『音声解説』が音声出力部１５７から出力される。
図１９は、図９の送信データ９００に基づいて表示部１５４に表示される初期画面の表示画像１９００を示す説明図である。
【０１０２】
図１８に示した表示画像１８００と同様、表示画像１９００には、リンク情報９０２の行９１２に示したホットスポット情報に従い、表示画像情報９０１によって表される表示画像中の表示位置（０５０、４００）に、カーソル番号『１』に対応したカーソル図形１９０１が表示される。また、カーソル図形１９０１として、選択状態を示す図形情報が選ばれる。
【０１０３】
図２０は、図１０の送信データ１０００に基づいて表示部１５４に表示される初期画面の表示画像２０００を示す説明図である。
同様に、表示画像２０００には、リンク情報１００２の行１０１２に示したホットスポット情報に従い、表示画像情報１００１によって表される表示画像中の表示位置（０５０、４００）に、カーソル番号『１』に対応し、選択状態を示すカーソル図形２００１が表示される。
（制御部１５５の処理の具体例）
以下では、送信データ８００に基づいて表示画像１８００を表示部１５４に表示させる場合の制御部１５５の処理手順について具体的に説明する。
【０１０４】
制御部１５５は、先ず、変数Ｐ−Ｉｎｄｅｘの初期値を『０００１』に、変数Ｃｕｒ−Ｐｏｓの初期値を『１』に設定する。次いで、変数Ｐ−Ｉｎｄｅｘが表す識別番号『０００１』の表示画像情報８０１（音声情報８０２を含む）とリンク情報８０３とを取り込むよう受信分離部１５１に指示する。制御部１５５は、受信データ保持部１５２に格納されている表示画像情報８０１（音声情報８０２を含む）の再生を、再生部１５３に指示する。再生部１５３は、第１ページの表示画像情報８０１を再生し、表示部１５４に出力するとともに、音声情報８０２を再生して音声出力部１５７に出力する。制御部１５５は、受信データ保持部１５２に格納されているリンク情報８０３を解釈し、カーソル図形対応表を作成して、各カーソルの図形情報とその表示位置とを再生部１５３に出力する。このとき、変数Ｃｕｒ−Ｐｏｓが示すカーソル、すなわち１番目のカーソルを選択状態の画像にする。
【０１０５】
制御部１５５は、信号受信部１５６からの入力を待つ。外部のリモコン等から信号受信部１５６に、『下』信号が入力されたとする。入力信号が『下』であれば、制御部１５５は変数Ｃｕｒ−Ｐｏｓの値を１増やす。すなわち変数Ｃｕｒ−Ｐｏｓの値を『２』に設定する。次いで、新たな変数Ｃｕｒ−Ｐｏｓで示されるカーソル番号『２』の図形を選択状態の図形情報とし、元の変数Ｃｕｒ−Ｐｏｓで示されるカーソル番号『１』の図形を非選択状態の図形情報として、それぞれを再生部１５３に出力する。
【０１０６】
制御部１５５は、信号受信部１５６からの割り込みを待ち、割り込み発生後に信号受信部１５６に、『確定』を示す入力信号が保持されていたとする。入力信号が『確定』であれば、制御部１５５は、変数Ｃｕｒ−Ｐｏｓが示すカーソル番号『２』に対応付けられたＸ−Ｙ座標（１００、７００）を、カーソル図形対応表から読み出す。次いで、読み出したＸ−Ｙ座標（１００、７００）をもとに、行８１３のホットスポット情報のリンク先ファイルの識別番号『０００３』を読み出し、読み出したリンク先ファイルの識別番号『０００３』を得る。得られた識別番号『０００３』を変数Ｐ−Ｉｎｄｅｘの値として設定する。次いで、変数Ｐ−Ｉｎｄｅｘで示される識別番号を有した表示画像情報１００１とリンク情報１００２との取り込みを受信分離部１５１に指示する。制御部１５５は、変数Ｃｕｒ−Ｐｏｓの値を『１』に初期化する。
【０１０７】
以下、上記と同様の処理を行うことにより、図２０に示す表示画像２０００を表示部１５４に表示させることができる。また、変数Ｃｕｒ−Ｐｏｓの値が『１』のとき割り込みが発生し、割込みにより制御部１５５が信号受信部１５６を参照したときに、信号受信部１５６が『確定』を示す入力信号を保持していた場合には、制御部１５５は、上記と同様にして、図１９に示す表示画像１９００を表示部１５４に表示させることができる。
（表示制御処理の手順）
図２１は、制御部１５５の表示制御処理の手順の一例を示すフローチャートである。
【０１０８】
制御部１５５は、取り込むべき送信データの識別番号を示す変数Ｐ−Ｉｎｄｅｘを初期値に設定する（ステップＳ２１０１）。
制御部１５５は、各表示画像の初期画面における選択状態のカーソル番号を示す変数Ｃｕｒ−Ｐｏｓを初期値に設定する（ステップＳ２１０２）。
制御部１５５は、変数Ｐ−Ｉｎｄｅｘの識別番号を有する送信データの取り込みを受信分離部１５１に指示する。受信分離部１５１は、制御部１５５の指示に従って、受信した送信データから表示画像情報とリンク情報とを分離し、該当する表示画像情報とリンク情報とを、識別番号により対応づけて受信データ保持部１５２に格納する（ステップＳ２１０３）。
【０１０９】
再生部１５３は、制御部１５５の指示により、受信データ保持部１５２内の表示画像情報を再生し、表示部１５４に出力する。表示画像情報に対応付けられた音声情報があれば、当該音声情報を再生し、音声出力部１５７に出力する（ステップＳ２１０４）。
制御部１５５は、受信データ保持部１５２内のリンク情報を解釈し、カーソル図形を表す図形情報を、その表示位置を示すＸ−Ｙ座標とともに再生部１５３に出力し、その図形情報の再生を指示する。再生部１５３は、制御部１５５から入力された図形情報を再生して、表示部１５４に出力する（ステップＳ２１０５）。これにより、表示部１５４は、１画面の表示画像を表示する。
【０１１０】
制御部１５５は、信号受信部１５６からの割込みを待ち（ステップＳ２１０６）、割込みが発生すると、信号受信部１５６に保持されている入力信号が『上』であるか否かをチェックする（ステップＳ２１０７）。
『上』であれば、変数Ｃｕｒ−Ｐｏｓの値から『１』を減算し（ステップＳ２１０８）、『上』でなければ、『下』であるか否かをチェックする（ステップＳ２１０９）。
【０１１１】
『下』であれば、変数Ｃｕｒ−Ｐｏｓの値に『１』を加算し（ステップＳ２１１０）、『下』でなければ、さらに、『確定』であるか否かをチェックする（ステップＳ２１１１）。
『確定』であれば、そのときの変数Ｃｕｒ−Ｐｏｓの値に従って、カーソル番号→カーソル図形対応表のカーソル表示位置（Ｘ、Ｙ）→ホットスポット情報内のリンク先ファイルの識別番号の順に各値を求め、求められた識別番号を変数Ｐ−Ｉｎｄｅｘの値に設定する。この後、ステップＳ２１０２に戻る。
【０１１２】
『確定』でなければ、ステップＳ２１０６に戻る。
以上のように、本実施の形態によれば、本来であれば、データ受信装置１５０側において、制御情報を解釈しながら生成されるべき表示画像情報を、予めデータ送信装置１１０側で生成して送信するので、データ受信装置１５０の負荷を軽減することができる。また、制御情報に記述されている、表示用文字列の表示制御処理の種類の多さや、処理数の多さに比べれば、リンク情報による制御処理は処理の種類が限定されいるので、比較的処理数も少ない。従って、データ受信装置１５０は、このようなリンク情報を用いて、容易にデータ送信装置１１０との擬似的双方向通信を行うことができる。
【０１１３】
また、本実施例によれば、データ通信システム１００は、インターネット上のＷＷＷホームページを表示する場合、１対多のＴＶ放送を用いて擬似的双方向通信を行うので、パソコンのブラウザを用いて表示する場合に比べて、伝送路の状態による影響を受けずに、速やかに所望のページを表示部１５４に表示させることができる。また、予めＴＶフォーマットで表された表示画像情報を用いるので、容易にフルカラー、高解像度の表示画像を、表示部１５４に表示させることができる。また、ブラウザによって生成された表示画像をＴＶに表示する場合では、表示画像の再生処理など、ＴＶに本来備えられている構成が十分に利用されなかったが、本実施例では、ＴＶに本来備えられているメモリや、デコーダなどを有効に利用して上記擬似的双方向通信を行うことができる。
【０１１４】
なお、本実施の形態では、取得する情報の例として、ＷＷＷで用いられるＨＴＭＬ文書およびそれに関連付けられたＧＩＦ形式の圧縮画像情報とＡＵ形式の音声情報とを示したが、ハイパーカード等の他の形式や言語で記述された情報でもよい。この場合、〈Ａ〉タグに関する処理を、当該形式および当該言語に対応する方法で変更すればよい。また、本実施の形態では、限られたタグのみの含まれるＨＴＭＬ文書の変換の例を示したが、他のタグが含まれていてもよい。
【０１１５】
なお、本実施の形態では、リンク情報による擬似的双方向通信の制御の例として、別の画面を表示する処理を説明したが、前記擬似的双方向通信に加えて、画面を点滅させたり、画面をスクロールさせる処理や、データ受信装置に接続されているＦＡＸ、電話あるいはビデオなどの装置を起動、操作する処理などを記述してもよい。
【０１１６】
なお、上記データ通信システム１００では、送信データ生成部１１２がリンク情報中のファイルを識別番号で記述したが、必ずしも識別番号で記述しなくてもよい。例えば、リンク情報中のファイルの識別番号を、もとのファイル名で記述しておいてもよい。この場合、送信時には各送信データの表示画像情報（音声情報を含む）とリンク情報とに識別番号を付して送信し、これを受信するデータ受信装置１５０側では、起動時に、予め一巡のリンク情報を順次取り込んで、ファイル名と識別番号との対応を調べるようにすればよい。
【０１１７】
また、データ受信装置１５０は、受信データ保持部１５２内に、データ送信装置１１０からくり返し送信されてくる一巡すべての表示画像情報とリンク情報とを格納するようにしてもよい。
さらに、図３１に示したトランスポートストリームがデータ送信装置１１０から送信される場合、データ受信装置１５０は、受信分離部１５１によりまずＰＭＴを分離・取得して、取り込むべき表示画像情報のＰＩＤをＰＭＴから読み出し、当該ＰＩＤをフィルタ条件としてトランスポートストリームから表示画像情報を分離取得すればよい。また、リンク情報については、リンク情報を載せたプライベートセクションのＰＩＤをＰＭＴから読み出して、当該ＰＩＤと、識別番号（テーブルＩＤエクステンション）をフィルタ条件としてトランスポートストリームからリンク情報を分離取得すればよい。
【０１１８】
なお、図３１に示したトランスポートストリームでは、ビデオエレメンタリーストリームはＩピクチャーからなるとしているが、ＰピクチャーやＢピクチャーを含むビデオエレメンタリーストリームとしてもよい。また、表示画像情報は、ＭＰＥＧ２規格でエンコードされることとしているが、ＭＰＥＧ１形式や、ＪＰＥＧ形式や、ＧＩＦ形式など他の形式でもよい。さらに、表示画像情報、音声情報をビデオエレメンタリーストリーム、オーディオエレメンタリーストリームとしているが、リンク情報と同様にプライベートセクション形式で多重化してもよい。
【０１１９】
（第２の実施の形態）
図２２は、本発明の第２の実施の形態であるデータ通信システム２２００の構成を示すブロック図である。なお、図２２において、図１に示したデータ通信システム１００と同様の構成要素については同様の参照符号を付す。また、これらについてはすでに説明しているので、説明を省略する。さらに、音声情報に関しては、データ通信システム１００と同様にして処理を行えばよいので、以下では説明を省略する。
【０１２０】
データ通信システム２２００は、データ送信装置２２１０およびデータ受信装置１５０を備える。
データ送信装置２２１０は、データ送信装置１１０の情報取得部１１１に代えて第１取得部２２１１および第２取得部２２１２を備え、送信データ生成部１１２に代えて送信データ生成部２２１３を備える。
【０１２１】
第１取得部２２１１は、第１外部データベース２２２１に接続されており、図１の情報取得部１１１と同様の構成を有する。また、情報取得部１１１と同様にして、第１外部データベース２２２１から図２〜図６に示したようなファイルを取得し、ファイル名を付して内部のバッファに格納する。
第１外部データベース２２２１は、図１に示した外部データベースと同様である。
【０１２２】
第２取得部２２１２は、第１外部データベース２２２１とは別の第２外部データベース２２２２に接続されており、取得すべきファイルを１ファイルずつ、第２外部データベース２２２２から取得すること以外、情報取得部１１１および第１取得部２２１１と同様である。
第２外部データベース２２２２は、一定の形式、表示サイズで予め作成された画像情報ファイルを格納している。
【０１２３】
図２３は、第２取得部２２１２が第２外部データベース２２２２から取得する画像情報２３０１『ＣＭ０００１．ＢＭＰ』の一例を示す説明図である。
図２３に示すように、画像情報２３０１は、一定の表示サイズで作成されており、パソコンの広告内容である表示画像を表している。なお、当該画像情報ファイルのファイル名の拡張子『．ＢＭＰ』は、画像情報２３０１がビットマップデータで表されていることを示している。
【０１２４】
送信データ生成部２２１３は、内部に図示しないデータ変換テーブル記憶部と、送信データ生成用の作業領域となる図示しない記憶領域とを備える。データ変換テーブル記憶部は、データ変換テーブル記憶部１２２と同様の記憶内容を記憶しているほか、さらに、第１取得部２２１１のＨＴＭＬ文書から生成される表示画像情報による表示画像の縮小比率を記憶している。前記作業領域には、送信データ生成部１１２の作業領域と同様の記憶領域を備えるほか、さらに、第１取得部２２１１から取得されたＨＴＭＬ文書に基づいて生成される１画面分の表示画像情報を一時保持するための保持領域を備える。
【０１２５】
送信データ生成部２２１３は、第１取得部２２１１が取得したＨＴＭＬ文書から後述の第１表示画像情報とリンク情報とを生成し、第２取得部２２１２が取得した画像情報から後述の第２表示画像情報を生成する。
具体的には、送信データ生成部２２１３は、第１取得部２２１１内のバッファから１ファイルのＨＴＭＬ文書を取り出し、取り出したＨＴＭＬ文書を、作業領域中のファイル記憶領域に格納する。次いで、送信データ生成部１１２と同様にしてＨＴＭＬ文書の内容を解釈し、その解釈結果に従って、表示用文字列を画像化し、あるいは指定された画像情報を伸長して、それらの表示画像を表す表示画像情報を生成する。さらに、表示用文字列を画像化して生成したその部分の表示画像情報、あるいは、指定された画像情報を伸長して生成したその画像の表示画像情報を、生成の都度、作業領域内の前記保持領域に順次追加して格納する。
【０１２６】
送信データ生成部２２１３は、取り出したＨＴＭＬ文書の末尾まで解釈し、対応する表示画像情報とリンク情報とを生成し終わると、作業領域内の前記保持領域に格納されている表示画像情報が表す表示画像を、データ変換テーブル記憶部に記憶している比率で縮小し、縮小後の表示画像を表す第１表示画像情報を生成する。生成した第１表示画像情報を、表示画像情報記憶部１２３内の表示画像情報記憶領域に格納する。
【０１２７】
送信データ生成部２２１３は、さらに、縮小後の表示画像におけるホットスポットのカーソル表示位置を計算しなおし、リンク情報記憶部１２５内のホットスポット情報のＸ−Ｙ座標を、計算しなおした値に更新する。次いで、第２取得部２２１２から１ファイルの画像情報を取り出し、取り出した画像情報から第２表示画像情報を生成し、生成した第２表示画像情報を前記表示画像情報記憶領域に追加して格納する。なお、第２外部データベース２２２２が格納している画像情報ファイルは、第２表示画像情報としてそのまま使用できる表示サイズおよび形式で作成されているとする。
【０１２８】
このようにして、送信データ生成部２２１３は、第１取得部２２１１内の１ファイルのＨＴＭＬ文書に従って生成された第１表示画像情報およびリンク情報と、第２取得部２２１２内の１ファイルの画像情報から生成された第２表示画像情報とから、１ファイル分の送信データを生成すると、生成された表示画像情報とリンク情報とに対応する識別番号を付す。
【０１２９】
以下、同様にして、１ファイルずつ、送信データを生成する。
図２４は、送信データ生成部２２１３によって生成される送信データの一例を示す説明図である。図２４（ａ）は、第１表示画像情報２４０１に基づいて表示される表示画像を用いて、第１表示画像情報２４０１の内容を表す説明図である。図２４（ｂ）は、第１表示画像情報２４０１に対応付けられた音声情報を示す説明図である。図２４（ｃ）は、リンク情報２４０３の内容を示す説明図である。
【０１３０】
送信データ２４００は、第１取得部２２１１から取得された図２のＨＴＭＬ文書３０１、図示しない音声情報『Ｗｅａｔｈｅｒ．ａｕ』および図３の画像情報４０１と、第２取得部２２１２から取得された図２３の画像情報２３０１とから生成される。
第１表示画像情報２４０１によって表される表示画像は、送信データ生成部１１２によって生成された図８の画像表示画像情報８０１による表示画像を、所定の比率で縮小したものと同様である。第２表示画像情報２４０２によって表される表示画像は、第２取得部２２１２から取得された画像情報２３０１によるものと同様である。この第１表示画像情報２４０１と第２表示画像情報２４０２とから送信データ２４００１ファイル分の表示画像情報が構成され、ＷＷＷホームページの第１ページを表す１画面の表示画像が表示される。
【０１３１】
リンク情報２４０３の行２４１１に示すホットスポット情報のＸ−Ｙ座標は、リンク情報８０３の行８１２に示したＸ−Ｙ座標を、縮小の比率に応じて更新したものである。行２４１２に示すホットスポット情報のＸ−Ｙ座標は、リンク情報８０３の行８１３のＸ−Ｙ座標を、同様に更新したものである。
図２５は、図２４の送信データ２４００に基づいて表示部１５４に表示される初期画面の表示画像を示す説明図である。
【０１３２】
図２５に示すように、表示画像２５００には、リンク情報２４０３の行２４１１に示したホットスポット情報に従い、第１表示画像情報２４０１と第２表示画像情報２４０２とによって表される表示画像中の表示位置（０８０、４８０）に、カーソル番号『１』に対応したカーソル図形２５０１が表示される。カーソル図形２５０１は、カーソル番号『１』の選択状態を示している。同様に、リンク情報２４０３の行２４１２のホットスポット情報に従い、表示位置（０８０、５６０）に、カーソル番号『２』に対応した、カーソル図形２５０２が表示される。カーソル図形２５０２は、非選択状態を示している。
【０１３３】
図２６は、送信データ生成部２２１３の送信データ生成処理の手順の一例を示すフローチャートである。
送信データ生成部２２１３は、第１取得部２２１１内に未処理のＨＴＭＬ文書があるか否かをチェックする（ステップＳ２６０１）。あれば、１ファイル取り出し（ステップＳ２６０２）、第１の実施の形態の送信データ生成部１１２と同様にして、保持領域内に表示画像情報を生成し、リンク情報記憶部１２５内にリンク情報を生成する（ステップＳ２６０３）。
【０１３４】
保持領域内に生成された表示画像情報によって表される表示画像を所定の比率で縮小して表す第１表示画像情報を生成し、表示画像情報記憶部１２３に格納する（ステップＳ２６０４）。
第１表示画像情報による表示画像中のカーソル表示位置（Ｘ、Ｙ）を計算し、計算結果によりホットスポット情報のカーソル表示位置（Ｘ、Ｙ）を更新する（ステップＳ２６０５）。
【０１３５】
第２取得部２２１２から画像情報ファイルを取り出し（ステップＳ２６０６）、第２表示画像情報を生成し（ステップＳ２６０７）、表示画像情報記憶部１２３の表示画像情報記憶領域に追加して格納する。
表示画像情報記憶部１２３とリンク情報記憶部１２５とに格納されている、表示画像情報とリンク情報とに、それぞれ識別番号を付し（ステップＳ２６０８）、ステップＳ２６０１に戻る。
【０１３６】
以上のように、本実施の形態のデータ通信システム２２００によれば、異なる外部データベース２２２１と外部データベース２２２２とから供給される複数の情報に従って、表示部１５４の表示画像を合成する場合においても、第１の実施の形態におけるデータ通信システム１００と同様の効果を得ることができる。
なお、本実施の形態では、第１取得部２２１１と第２取得部２２１２の２つの情報取得部を備えるデータ送信装置２２１０を示したが、情報取得部の数は２つとは限らず、３つ以上の情報取得部を有してもよい。
【０１３７】
また、本実施の形態では、第２外部データベース２２２２が、所定の表示サイズの表示画像をビットマップデータで表した画像情報を格納しているとしたが、第２外部データベース２２２２に格納されている画像情報は、必ずしもビットマップデータで表されている必要はなく、ＧＩＦ形式や、その他の形式に従って圧縮符号化されていてもよい。この場合、送信データ生成部２２１３は、第２取得部２２１２から取り出した画像情報をその形式に従って伸長復号し、第２表示画像情報を生成する。また、第２外部データベース２２２２は、第１外部データベース２２２１とは別のＷＷＷサーバであっても良い。この場合、送信データ生成部２２１３は、第１表示画像情報とそれに対応するリンク情報とを生成したのと同様の処理により、第２表示画像情報とそれに対応するリンク情報とを生成する。
【０１３８】
（第３の実施の形態）
図２７は、本発明の第３の実施の形態であるデータ通信システム２７００の構成を示すブロック図である。なお、図２７において、図１に示したデータ通信システム１００と同様の構成要素については同様の参照符号を付す。また、これらについてはすでに説明しているので、説明を省略する。
【０１３９】
データ通信システム２７００は、第１データ送信装置２７１０、第２データ送信装置２７２０およびデータ受信装置２７５０を備える。
データ受信装置２７５０は、データ受信装置１５０の受信分離部１５１に代えて、受信分離部２７５１、受信部２７５２および合成部２７５３を備える。
（第１データ送信装置２７１０）
第１データ送信装置２７１０は、第２取得部２２１２を備えないこと以外、データ送信装置２２１０と同様の構成を備える。また、第１外部データベース２２２１と同様の外部データベースに接続される。
【０１４０】
第１データ送信装置２７１０内部の図示しない送信データ生成部は、送信データ生成部２２１３と同様にして、第１表示画像情報とリンク情報とを生成する。送信データ生成部２２１３と異なる点は、第１データ送信装置２７１０の送信データ生成部は、第１表示画像情報を生成すると、前記第２表示画像情報による表示画像の領域を空白とし、第１表示画像情報と当該空白領域とからなる表示画像情報を生成することである。
【０１４１】
図２８は、図３のＨＴＭＬ文書３０１と図示しない音声情報『Ｗｅａｔｈｅｒ．ａｕ』と図４の画像情報４０１とから第１データ送信装置２７１０によって生成される送信データ２８００を示す説明図である。図２８（ａ）は、第１表示画像情報２８０１に基づいて表示される表示画像を用いて、第１表示画像情報２８０１の内容を表す説明図である。図２８（ｂ）は、第１表示画像情報２８０１に対応付けられた音声情報を示す。図２８（ｃ）は、リンク情報２８０３の内容を示す説明図である。
【０１４２】
図２８に示すように、第１表示画像情報２８０１、音声情報およびリンク情報２８０３は、図２４に示した第１表示画像情報２４０１、音声情報およびリンク情報２４０３とそれぞれ同様である。送信データ２８００と送信データ２４００とが異なる点は、第２表示画像情報２４０２による表示領域が、空白領域２８０２とされていることである。
（第２データ送信装置２７２０）
第２データ送信装置２７２０は、内部に、図示しない送信データ保持部と、一定時間を計測する図示しないタイマーとを備え、予め一定の形式で生成され、複数のファイルとして送信データ保持部に格納されている送信データを、前記タイマーに計測される一定時間毎に、１ファイルずつ格納順に切り換えて送信する。
【０１４３】
なお、第２データ送信装置２７２０が送信データを送信する方法は、従来のＴＶ放送と同様である。また、第２データ送信装置２７２０は、ＤＶＤ（Ｄｅｇｉｔａｌ  Ｖｅｒｓａｔｉｌｅ  Ｄｉｓｃ）再生装置や、ＣＤ（Ｃｏｍｐａｃｔ  Ｄｉｓｃ）再生装置など、データ受信装置２７５０に接続された記録媒体再生装置であってもよい。
【０１４４】
図２９は、第２データ送信装置２７２０から送信される送信データ２９００を示す説明図である。
図２９に示すように、送信データ２９００は、第１表示画像情報による表示領域を一定大の空白領域２９０１とし、その下方に隣接して第２表示画像情報２９０２による表示画像を表示できるよう、予め作成されている。
（データ受信装置２７５０）
受信分離部２７５１は、読み取りバッファに保持した表示画像情報とリンク情報とを合成部２７５３に出力すること以外、図１に示した受信分離部１５１と同様である。
【０１４５】
受信部２７５２は、アナログ／デジタル変換回路を備えた従来のＴＶチューナなどによって実現され、第２データ送信装置２７２０から送信されてくる第２表示画像情報を受信し、受信した第２表示画像情報を合成部２７５３に出力する。合成部２７５３は、受信データ保持部１５２に備えられる１画面分の表示画像情報記憶領域を、第１表示画像情報用の領域と、第２表示画像情報用の領域とに区分して管理する。合成部２７５３は、受信分離部２７５１から入力された送信データのうちの第１表示画像情報を第１表示画像情報用の領域に書き込み、受信部２７５２から入力される第２表示画像情報を第２表示画像情報用の領域に書き込む。これにより、図２５に示した表示画像２５００が表示部１５４に表示される。なお、本実施例では、表示画像２５００のうち、第２表示画像は、第２データ送信装置２７２０の送信データ切り換え間隔と同じ時間間隔で、順次表示内容が変更される。
【０１４６】
以上のように、本実施の形態によれば、複数のデータ送信装置から送信されてくる送信データに基づいて、それぞれの表示画像情報が表している表示画像を１つの画面に表示する場合においても、データ通信システム１００と同様の効果を得ることができる。
なお、本実施の形態では、受信分離部２７５１と受信部２７５２との２つの受信部を備えるデータ受信装置２７５０を示したが、３つ以上の受信部を備えてもよい。
【０１４７】
また、本実施の形態では、第２データ送信装置２７２０は、第２表示画像情報のみからなる送信データを多重化せずに送信したが、第１データ送信装置２７１０と同様にして第２表示画像情報とそのリンク情報とからなる送信データを多重化して送信するとしてもよい。この場合、受信部２７５２は、受信分離部２７５１と同様の構成を備えるものとし、合成部２７５３は、上記と同様に第１表示画像情報と第２表示画像情報とから受信データ保持部１５２内に表示画像情報を合成する。リンク情報については、受信分離部２７５１によって取り込まれた送信データ中のリンク情報に追加して、受信部２７５２によって取り込まれた送信データ中のリンク情報を、受信データ保持部１５２内に格納する。
【０１４８】
なお、上記第１〜第３実施形態では、データ受信装置１５０は、制御部１５５内部にカーソル図形を表す図形情報を予め保持しているが、データ送信装置１１０から送信された図形情報を制御部１５５内部格納するようにしてもよい。この場合、データ送信装置、データ受信装置は、図３０に示すような構成とすればよい。同図は、図１に示したデータ通信システム１００に対してさらに補助図形付加部３２１１を追加し、データ受信装置１５０に対してさらに補助図形取得部３２５３を追加した構成となっている。また、外部データベースには、さらに、カーソル形状を示す図形情報が記憶されている。
【０１４９】
補助図形付加部３２１１は、外部データベースに記憶されている図形情報を読み出し、読み出した図形情報を送信データ保持部１１３に記憶されているリンク情報内に追加記憶させる。
補助図形取得部３２５３は、受信データ保持部１５２に記憶されているリンク情報から図形情報のみを取り出し、制御部１５５内に設けられた図形情報記憶部に記憶させる。次に、受信データ保持部１５２に記憶されているリンク情報から図形情報のみを削除する。この構成によれば、データ送信装置１１０が外部データベースから取り出した図形情報をデータ受信装置１５０に送信して、データ受信装置３２５０に記憶される補助図形を様々な種類に変更することができる。
【０１５０】
【発明の効果】
本発明の送信装置は、放送波を用いて対話性を実現する通信システムにおける送信装置であって、１フレームに相当する画像データを複数記憶する第１記憶手段と、第１記憶手段の画像データ毎に他の画像データへのリンクを示す制御情報を記憶する第２記憶手段と、所定数の画像データを制御情報とともに繰り返し送信する送信手段とを備えている。この構成によれば、画像データとそれに対応する制御情報は繰り返し送信され、受信装置では制御情報に示されるリンク先の画像データを、次の繰り返し送信において確実に受信することができるので、ユーザ所望のリンク先の画像データを次から次へと対話的にたどっていくことができる。その結果、片方向通信しかできない放送波を利用して、ユーザにとってはあたかも双方向通信を行っているかのごとく対話性を実現することができる。
【０１５１】
さらに、一般の双方向通信のサーバーの場合は、受信装置からの要求量に応じて負荷が大きく変動するので、ユーザ操作にを受けてから表示画像が切り替わるまでの応答時間が大きく変動する。これに対して、本送信装置は、負荷が変動しないので繰り返し送信の周期を一定に保つことができる。従って受信装置では、一定の応答時間内、つまり最長でも繰り返し送信の１周期内に、画像データの切り替えを行うことができる。
【０１５２】
ここで前記送信手段は、所定数の画像データとそれに対応する制御情報とを、第１、第２記憶手段から繰り返し読み出す読み出し手段と、読み出し手段に読み出された画像データ、制御情報を、それぞれテレビジョン信号の映像区間、帰線区間に載せることにより画像データと制御信号とを多重化する多重化手段と、多重化されたテレビジョン信号をアナログ放送波として送出する送出手段とから構成してもよい。この構成によれば、上記の対話性の実現にアナログ放送波を利用することができる。
【０１５３】
また、前記第１、第２記憶手段の画像データ、制御情報はディジタル化されており、前記送信手段は、所定数の画像データとそれに対応する制御情報とを、第１、第２記憶手段から繰り返し読み出す読み出し手段と、読み出し手段に読み出される画像データ及び制御情報をそれぞれディジタルデータストリームに変換し、それらを多重化した多重化ストリームを生成する多重化手段と、多重化ストリームをディジタル放送波として送出する送出手段とから構成してもよい。この構成によれば、上記の対話性の実現にディジタル放送波を利用することができる。
【０１５４】
ここで、前記第１、第２記憶手段は、それぞれ識別子とともに画像データ、制御情報を記憶し、前記送信装置は、さらに、画像データと同じ識別子が付与された複数の音声データを記憶する第３記憶手段を備え、前記送信手段は、画像データとともに音声データを送信するようにしてもよい。この構成によれば、画像データと音声データとのセットを送信することができ、より魅力的な対話性を実現することができる。
【０１５５】
ここで、上記送信装置は、さらに、他のページへのリンクを示すリンク情報と、文字情報と、画像情報とを含み、文字と画像とを配したページを表すページ情報を複数取得する取得手段と、取得されたリンク情報中の文字情報と画像情報とに従って、文字と画像とを配した１フレームに相当する画像データを作成する第１作成手段と、取得されたページ情報中のリンク情報を解釈して、画像データ毎に他の画像データへのリンクを示す制御情報を作成する第２作成手段とを備えて構成してもよい。この構成によれば、外部から取得されたページ情報を、放送に適した形式の画像データ、制御情報に変換することができる。
【０１５６】
また前記取得手段は、インターネット上のワールドワイドウェブから前記ページ情報を取得するようにしてもよい。この構成によれば、送信装置は、インターネット上のＷＷＷサーバのＨＴＭＬ文書などを画像データ、制御情報に変換して放送する。したがって、テレビ放送波を利用して、あたかもインターネットのネットサーフィンのような、対話性のある番組をユーザに提供することができる。
【０１５７】
また本発明の受信装置は、放送波を用いて対話性を実現する通信システムにおける受信装置であって、前記放送波は、異なる複数の画像データと、画像データ毎に他の画像データへのリンクを示す制御情報とを多重化され、繰り返し送信されており、前記受信装置は、前記放送波から一の画像データとそれに対応する制御情報とを分離する分離手段と、分離された画像データと制御情報とを保持する保持手段と、保持された画像データを再生して映像信号を出力する再生手段と、画像データの切り替えを指示するユーザ操作を受け付ける操作手段と、ユーザ操作に従って保持手段の制御情報に示される他の画像データを分離するよう分離手段を制御する制御手段とを備えて構成される。この構成によれば、受信装置は、上記送信装置からの放送波を受信して、ユーザ操作に従って一の画像データを分離、再生、映像信号出力を行うので、対話性を実現できる。また受信装置は、制御情報に示されるリンク先の画像データを、次の繰り返し送信において確実に受信することができるので、ユーザ所望のリンク先の画像データを次から次へと対話的にたどっていくことができる。その結果、片方向通信しかできない放送波を利用して、ユーザにとってはあたかも双方向通信を行っているかのごとく対話性を実現することができる。さらに、一般の双方向通信のサーバーの場合は、受信装置からの要求量に応じて負荷が大きく変動するので、ユーザ操作にを受けてから表示画像が切り替わるまでの応答時間が大きく変動する。これに対して、本送信装置は、負荷が変動しないので繰り返し送信の周期を一定に保つことができる。従って受信装置では、一定の応答時間内、つまり最長でも繰り返し送信の１周期内に、画像データの切り替えを行うことができる。
【０１５８】
ここで、前記分離手段は、放送波中の画像データに付与されている識別子を判別する第１判別手段と、放送波中の制御情報に付与されている識別子を判別する第２判別手段と、第１、第２判別手段の判別結果が特定の識別子である場合に、当該画像データと制御情報とを取り込む取り込み手段とを備え、前記保持手段は、取り込み手段により取り込まれた画像データと制御情報とを保持する構成としてもよい。この構成によれば、分離手段は、放送波中の識別子を判別することにによりユーザ所望の画像データと、それに対応する制御情報とを分離することができる。
【０１５９】
また、画像データ、制御情報は、それぞれテレビジョン信号の映像区間、帰線区間に多重化されたアナログ放送波として送信され、前記映像区間中の非表示部分の定位置に画像として表される識別子が送信され、前記第１判別手段は、前記非表示部分の定位置の画像から識別子を認識するように構成してもよい。アナログ放送波の非表示部分を識別子を有効利用して送信することができる。
【０１６０】
ここで、画像データと、それに対応する制御情報とは同一の識別子が付与され、画像データ、制御情報は、それぞれディジタルデータストリームに変換された後、多重ストリームに多重化されたディジタル放送波として放送され、変換されたディジタルストリームには、画像データを識別する第１識別情報と、制御情報を識別する第２識別情報を割当てられ、多重ストリームは、第１識別情報と画像データの識別子との対応関係、第２識別情報と制御情報の識別子との対応関係を示すマップテーブルと、ディジタルデータストリームとが多重化され、前記保持手段は、さらに、分離手段により分離されるマップテーブルを保持し、前記制御手段は、制御情報に示されるリンク先の画像データの識別子を特定し、マップテーブルを参照して当該識別子を第１識別情報と第２識別情報とに変換し、分離手段に第１識別情報と第２識別情報とを指定し、前記分離手段は、多重ストリーム中の第１識別情報を判別する第１判別手段と、多重ストリーム中の第２識別情報を判別する第２判別手段と、第１、第２判別手段に判別された第１、第２識別情報が制御手段の指定にそれぞれ一致する場合に、当該画像データ、制御情報を取り込む取り込み手段とから構成してもよい。この構成によれば、送信装置は、画像データ、制御情報に加えて上記マップテーブルをディジタル放送波を利用して送信するので、受信装置では、所望の画像データの識別子を各識別情報に簡単に変換でき、各判別手段が識別情報を判別し、取り込手段が取り込むことにより、所望の画像データの簡単に分離することができる。
【０１６１】
また、前記制御情報は、それに対応する画像データ内の一部の画像領域を示す座標と、リンク先となる他の画像データの識別子との少なくとも１つの組みで表され、前記操作手段は、画像データ内の前記画像領域を指定するユーザ操作を受け付け、前記制御手段は、指定された画像領域に対応する、リンク先となる他の画像データの識別子を保持手段から読み出して分離手段に指定するように構成してもよい。
【０１６２】
ここで、前記分離手段がさらに音声データを分離し、保持手段が分離された音声データを保持し、再生手段が保持された音声データを再生して音声信号を出力するように構成してもよい。この構成によれば、画像データと音声データとのセットを受信して再生することができ、より魅力的な対話性を実現することができる。
【０１６３】
また本発明の受信方法は、前記放送波から一の画像データとそれに対応する制御情報とを分離する分離ステップと、分離された画像データと制御情報とをメモリに格納する格納ステップと、メモリに格納された画像データを再生して映像信号を出力する再生ステップと、画像データの切り替えを指示するユーザ操作を受け付ける操作ステップと、ユーザ操作に従ってメモリに格納された制御情報に示される他の画像データを判別する判別ステップと、判別された画像データと、それに対応する制御情報とを分離する再分離ステップとからなる。この構成によっても、上記受信装置と同様の効果がある。
【０１６４】
また本発明の受信プログラムの記憶媒体は、上記ステップからなる受信プログラムを記憶している。この記憶媒体に記憶された受信プログラムを放送波受信装置内のマイクロコンピュータが実行することにより、上記受信装置と同様の効果がある。
また本発明の通信システムは、上記送信装置と上記受信装置とを備えて構成されるので、上記と同様の効果が得られる。
【図面の簡単な説明】
【図１】本発明の第１の実施の形態であるデータ通信システム１００の構成を示すブロック図である。
【図２】取得リスト記憶部１２１に格納されている取得リスト２００の一例を示す説明図である。
【図３】ＷＷＷホームページの第１ページの一例を記述するＨＴＭＬ文書３０１『Ｒｅｐｏｒｔ．ｈｔｍｌ』を示す説明図である。
【図４】ＷＷＷホームページの第１ページに表示される画像の一例である画像情報４０１『Ｗｅａｔｈｅｒ．ｇｉｆ』を示す説明図である。
【図５】前記ＷＷＷホームページの第２ページの一例を記述するＨＴＭＬ文書５０１『Ｔｏｋｙｏ．ｈｔｍｌ』を示す説明図である。
【図６】前記ＷＷＷホームページの第３ページの一例を記述するＨＴＭＬ文書６０１『Ｏｓａｋａ．ｈｔｍｌ』を示す説明図である。
【図７】データ変換テーブル記憶部１２２に格納されているリンク情報テーブル７００の一例を示す説明図である。
【図８】ＨＴＭＬ文書３０１と音声情報『Ｗｅａｔｈｅｒ．ａｕ』と画像情報４０１とから生成されたＷＷＷホームページの第１ページの送信データ８００を示す説明図である。
【図９】ＨＴＭＬ文書５０１から生成されたＷＷＷホームページの第２ページの送信データ９００を示す説明図である。
【図１０】ＨＴＭＬ文書６０１から生成されたＷＷＷホームページの第３ページの送信データ１０００を示す説明図である。
【図１１】送信部１１６による送信データの送信方法を示す説明図である。
【図１２】データ送信装置１１０全体の概略的処理手順を示すフローチャートである。
【図１３】情報取得部１１１による情報取得処理の手順の一例を示すフローチャートである。
【図１４】送信データ生成部１１２による送信データ生成処理の手順の一例を示すフローチャートである。
【図１５】図１４のステップＳ１３１２における処理手順の一部具体例を示すフローチャートである。
【図１６】制御部１５５が、カーソル図形の表示位置を制御するために作成するカーソル図形対応表の一例を示す説明図である。
【図１７】制御部１５５が保持している図形情報の一例を示す説明図である。
【図１８】図８の送信データ８００に基づいて表示部１５４に表示される初期画面の表示画像１８００を示す説明図である。
【図１９】図９の送信データ９００に基づいて表示部１５４に表示される初期画面の表示画像１９００を示す説明図である。
【図２０】図１０の送信データ１０００に基づいて表示部１５４に表示される初期画面の表示画像２０００を示す説明図である。
【図２１】制御部１５５の表示制御処理の手順の一例を示すフローチャートである。
【図２２】本発明の第２の実施の形態であるデータ通信システム２２００の構成を示すブロック図である。
【図２３】第２取得部２２１２が第２外部データベース２２２２から取得する画像情報２３０１『ＣＭ０００１．ＢＭＰ』の一例を示す説明図である。
【図２４】送信データ生成部２２１３によって生成される送信データの一例を示す説明図である。
【図２５】図２４の送信データ２４００に基づいて表示部１５４に表示される初期画面の表示画像を示す説明図である。
【図２６】送信データ生成部２２１３の送信データ生成処理の手順の一例を示すフローチャートである。
【図２７】本発明の第３の実施の形態であるデータ通信システム２７００の構成を示すブロック図である。
【図２８】図２および図３に示したＨＴＭＬ文書３０１と画像情報４０１とから第１データ送信装置２７１０によって生成される送信データ２８００を示す説明図である。
【図２９】第２データ送信装置２７２０から送信される送信データ２９００を示す説明図である。
【図３０】データ通信システムの他の構成例を示す図である。
【図３１】衛星デジタル放送を利用する場合に送信される多重化ストリームの説明図である。
【符号の説明】
１００    データ通信システム
１１０    データ送信装置
１１１    情報取得部
１１２    送信データ生成部
１１３    送信データ保持部
１１４    送信データ読出部
１１５    多重化部
１１６    送信部
１２１    取得リスト記憶部
１２２    データ変換テーブル記憶部
１２３    表示画像情報記憶部
１２４    音声情報記憶部
１２５    リンク情報記憶部
１５０    データ受信装置
１５１    受信分離部
１５２    受信データ保持部
１５３    再生部
１５４    表示部
１５５    制御部
１５６    信号受信部
１５７    音声出力部
【図１】
0003677018.tif 000002
【図２】
0003677018.tif 000003
【図３】
0003677018.tif 000004
【図４】
0003677018.tif 000005
【図５】
0003677018.tif 000006
【図６】
0003677018.tif 000007
【図７】
0003677018.tif 000008
【図８】
0003677018.tif 000009
【図９】
0003677018.tif 000010
【図１０】
0003677018.tif 000011
【図１１】
0003677018.tif 000012
【図１２】
0003677018.tif 000013
【図１３】
0003677018.tif 000014
【図１４】
0003677018.tif 000015
【図１５】
0003677018.tif 000016
【図１６】
0003677018.tif 000017
【図１７】
0003677018.tif 000018
【図１８】
0003677018.tif 000019
【図１９】
0003677018.tif 000020
【図２０】
0003677018.tif 000021
【図２１】
0003677018.tif 000022
【図２２】
0003677018.tif 000023
【図２３】
0003677018.tif 000024
【図２４】
0003677018.tif 000025
【図２５】
0003677018.tif 000026
【図２６】
0003677018.tif 000027
【図２７】
0003677018.tif 000028
【図２８】
0003677018.tif 000029
【図２９】
0003677018.tif 000030
【図３０】
0003677018.tif 000031
【図３１】
0003677018.tif 000032